(57)【要約】  開示される実施形態は、単一のセルにサービスする複数の物理送信アンテナ要素を備えるシステムのための測位基準信号（ＰＲＳ）シーケンスを生成する方法に関係する。いくつかの実施形態では、方法は、個別の物理アンテナポート（ＰＡＰ）識別子（ＩＤ）を複数の物理送信アンテナ要素のサブセットに割り当てることと、複数の物理送信アンテナ要素のサブセットのためのＰＲＳシーケンスを生成することと、ここにおいて、各ＰＲＳシーケンスは、複数の物理送信アンテナ要素のサブセットの中の物理送信アンテナ要素に対応し、各ＰＲＳシーケンスは、対応する物理送信アンテナ要素のＰＡＰ  ＩＤ（ｈ）に少なくとも部分的に基づいて、対応する周波数シフトを有する、を備え得る。
2018518667.tif 000002
【特許請求の範囲】
【請求項１】
測位基準信号（ＰＲＳ）シーケンスを生成するプロセッサ実装方法であって、
個別の物理アンテナポート（ＰＡＰ）識別子（ＩＤ）を単一のセルにサービスする複数の物理送信アンテナ要素の中の各物理送信アンテナ要素に割り当てることと、
複数のＰＲＳシーケンスを生成することと、前記複数のＰＲＳシーケンスの中の各ＰＲＳシーケンスは、前記複数の物理送信アンテナ要素の中の個別の物理送信アンテナ要素に対応する、ここにおいて、各ＰＲＳシーケンスは、対応する物理送信アンテナ要素の対応するＰＡＰ  ＩＤ（ｈ）に少なくとも部分的に基づいて、対応する周波数シフトを有する、
を備える方法。
【請求項２】
前記対応する周波数シフトが、前記対応する物理送信アンテナ要素の前記対応するＰＡＰ  ＩＤ（ｈ）の対応する関数ｆ（ＰＡＰh）に基づく、請求項１に記載の方法。
【請求項３】
複数のＰＲＳシーケンスを生成することが、
前記複数の物理送信アンテナ要素のうちの１つについて、前記対応する関数ｆ（ＰＡＰh）を０に設定すること
を備える、請求項２に記載の方法。
【請求項４】
前記対応する関数ｆ（ＰＡＰh）が、セル部分ＩＤにさらに基づく、ここにおいて、前記セル部分ＩＤが、前記単一のセルの地理的部分に関連付けられた識別子を備える、請求項２に記載の方法。
【請求項５】
前記複数の物理送信アンテナ要素が、
分散アンテナシステム（ＤＡＳ）、または
スモールセル
のうちの１つを備える、請求項１に記載の方法。
【請求項６】
前記複数の物理送信アンテナ要素が、リモートラジオヘッド（ＲＲＨ）を使用して実現される、請求項１に記載の方法。
【請求項７】
前記複数の物理送信アンテナ要素のうちの１つまたは複数の物理送信アンテナ要素のための観測到着時間差（ＯＴＤＯＡ）支援情報の送信を開始することをさらに備え、ここにおいて、前記１つまたは複数の物理送信アンテナ要素の中の物理送信アンテナ要素のためのＯＴＤＯＡ支援情報が、対応するＰＡＰ  ＩＤ（ｈ）を備える、
請求項１に記載の方法。
【請求項８】
前記ＯＴＤＯＡ支援情報の送信を開始することが、
前記対応するＰＡＰ  ＩＤ（ｈ）を備える前記ＯＴＤＯＡ支援情報を受信する能力を示すユーザ機器（ＵＥ）からの受信情報に応答して、前記ＵＥへの前記ＯＴＤＯＡ支援情報の送信を開始すること
を備える、請求項７に記載の方法。
【請求項９】
装置であって、
トランシーバと、前記トランシーバは、測位基準信号（ＰＲＳ）情報を送信することが可能である、
前記トランシーバに結合されたプロセッサと、前記プロセッサは、
個別の物理アンテナポート（ＰＡＰ）識別子（ＩＤ）を単一のセルにサービスする複数の物理送信アンテナ要素の中の各物理送信アンテナ要素に割り当てることと、
複数のＰＲＳシーケンスを生成することと、前記複数のＰＲＳシーケンスの中の各ＰＲＳシーケンスは、前記複数の物理送信アンテナ要素の中の個別の物理送信アンテナ要素に対応する、ここにおいて、各ＰＲＳシーケンスは、対応する物理送信アンテナ要素の対応するＰＡＰ  ＩＤ（ｈ）に少なくとも部分的に基づいて、対応する周波数シフトを有する、
を行うように構成される、
を備える装置。
【請求項１０】
前記対応する周波数シフトが、前記対応する物理送信アンテナ要素の前記対応するＰＡＰ  ＩＤ（ｈ）の対応する関数ｆ（ＰＡＰh）に基づく、請求項９に記載の装置。
【請求項１１】
複数のＰＲＳシーケンスを生成するために、前記プロセッサが、
前記複数の物理送信アンテナ要素のうちの１つについて、前記対応する関数ｆ（ＰＡＰh）を０に設定するように構成される、
請求項１０に記載の装置。
【請求項１２】
前記対応する関数ｆ（ＰＡＰh）が、セル部分ＩＤにさらに基づく、ここにおいて、前記セル部分ＩＤが、前記単一のセルの地理的部分に関連付けられた識別子を備える、請求項１０に記載の装置。
【請求項１３】
前記複数の物理送信アンテナ要素が、
分散アンテナシステム（ＤＡＳ）、または
スモールセル
のうちの１つを備える、請求項９に記載の装置。
【請求項１４】
前記複数の物理送信アンテナ要素が、リモートラジオヘッド（ＲＲＨ）を使用して実現される、請求項９に記載の装置。
【請求項１５】
前記プロセッサが、
前記対応する物理送信アンテナ要素のための観測到着時間差（ＯＴＤＯＡ）支援情報の一部としての前記ＰＡＰ  ＩＤ（ｈ）の送信を開始する
ようにさらに構成される、請求項９に記載の装置。
【請求項１６】
前記ＯＴＤＯＡ支援情報の送信を開始するために、前記プロセッサが、
前記対応するＰＡＰ  ＩＤ（ｈ）を備える前記ＯＴＤＯＡ支援情報を受信する能力を示すユーザ機器（ＵＥ）からの受信情報に応答して、前記ＵＥへの前記ＯＴＤＯＡ支援情報の送信を開始する
ように構成される、請求項１５に記載の装置。
【請求項１７】
装置であって、
測位基準信号（ＰＲＳ）情報を送信することが可能なトランシーバ手段と、
処理手段とを備え、前記処理手段が、
個別の物理アンテナポート（ＰＡＰ）識別子（ＩＤ）を単一のセルにサービスする複数の物理送信アンテナ要素の中の各物理送信アンテナ要素に割り当てるための手段と、
複数のＰＲＳシーケンスを生成するための手段と、前記複数のＰＲＳシーケンスの中の各ＰＲＳシーケンスは、前記複数の物理送信アンテナ要素の中の個別の物理送信アンテナ要素に対応する、ここにおいて、各ＰＲＳシーケンスは、対応する物理送信アンテナ要素の対応するＰＡＰ  ＩＤ（ｈ）に少なくとも部分的に基づいて、対応する周波数シフトを有する、
を備える、装置。
【請求項１８】
前記対応する周波数シフトが、前記対応する物理送信アンテナ要素の前記対応するＰＡＰ  ＩＤ（ｈ）の対応する関数ｆ（ＰＡＰh）に基づく、請求項１７に記載の装置。
【請求項１９】
生成するための手段が、
前記複数の物理送信アンテナ要素のうちの１つについて、前記対応する関数ｆ（ＰＡＰh）を０に設定するための手段
を備える、請求項１８に記載の装置。
【請求項２０】
前記対応する関数ｆ（ＰＡＰh）が、セル部分ＩＤにさらに基づく、ここにおいて、前記セル部分ＩＤが、前記単一のセルの地理的部分に関連付けられた識別子を備える、請求項１８に記載の装置。
【請求項２１】
前記複数の物理送信アンテナ要素が、
分散アンテナシステム（ＤＡＳ）、または
スモールセル
のうちの１つを備える、請求項１７に記載の装置。
【請求項２２】
前記複数の物理送信アンテナ要素が、リモートラジオヘッド（ＲＲＨ）を使用して実現される、請求項１７に記載の装置。
【請求項２３】
前記複数の物理送信アンテナ要素のうちの１つまたは複数の物理送信アンテナ要素のための観測到着時間差（ＯＴＤＯＡ）支援情報の送信を開始するための手段をさらに備え、ここにおいて、前記１つまたは複数の物理送信アンテナ要素の中の物理送信アンテナ要素のためのＯＴＤＯＡ支援情報が、対応するＰＡＰ  ＩＤ（ｈ）を備える、
請求項１７に記載の装置。
【請求項２４】
物品であって、
個別の物理アンテナポート（ＰＡＰ）識別子（ＩＤ）を単一のセルにサービスする複数の物理送信アンテナ要素の中の各物理送信アンテナ要素に割り当てることと、
複数の測位基準信号（ＰＲＳ）シーケンスを生成することと、前記複数のＰＲＳシーケンスの中の各ＰＲＳシーケンスは、前記複数の物理送信アンテナ要素の中の個別の物理送信アンテナ要素に対応する、ここにおいて、各ＰＲＳシーケンスは、対応する物理送信アンテナ要素の対応するＰＡＰ  ＩＤ（ｈ）に少なくとも部分的に基づいて、対応する周波数シフトを有する、
を行うようにプロセッサによって実行可能な命令を備える非一時的コンピュータ可読媒体を備える物品。
【請求項２５】
前記対応する周波数シフトが、前記対応する物理送信アンテナ要素の前記対応するＰＡＰ  ＩＤ（ｈ）の対応する関数ｆ（ＰＡＰh）に基づく、請求項２４に記載の物品。
【請求項２６】
複数のＰＲＳシーケンスを生成するための前記命令が、
前記複数の物理送信アンテナ要素のうちの１つについて、前記対応する関数ｆ（ＰＡＰh）を０に設定するための命令を備える、
請求項２５に記載の物品。
【請求項２７】
前記対応する関数ｆ（ＰＡＰh）が、セル部分ＩＤにさらに基づく、ここにおいて、前記セル部分ＩＤが、前記単一のセルの地理的部分に関連付けられた識別子を備える、請求項２５に記載の物品。
【請求項２８】
前記複数の物理送信アンテナ要素が、
分散アンテナシステム（ＤＡＳ）、または
スモールセル
のうちの１つを備える、請求項２４に記載の物品。
【請求項２９】
前記複数の物理送信アンテナ要素が、リモートラジオヘッド（ＲＲＨ）を使用して実現される、請求項２４に記載の物品。
【請求項３０】
前記プロセッサによって実行可能な前記命令が、
前記複数の物理送信アンテナ要素のうちの１つまたは複数の物理送信アンテナ要素のための観測到着時間差（ＯＴＤＯＡ）支援情報の送信を開始するための命令をさらに備え、ここにおいて、前記１つまたは複数の物理送信アンテナ要素の中の物理送信アンテナ要素のためのＯＴＤＯＡ支援情報が、対応するＰＡＰ  ＩＤ（ｈ）を備える、
請求項２４に記載の物品。
【発明の詳細な説明】
【技術分野】
【０００１】
関連出願の相互参照
[0001]本出願は、２０１５年５月１２日に出願された「Ｐｏｓｉｔｉｏｎｉｎｇ  Ｒｅｆｅｒｅｎｃｅ  Ｓｉｇｎａｌ  （ＰＲＳ）  Ｇｅｎｅｒａｔｉｏｎ  ｆｏｒ  Ｍｕｌｔｉｐｌｅ  Ｔｒａｎｓｍｉｔ  Ａｎｔｅｎｎａ  Ｓｙｓｔｅｍｓ」と題する米国仮出願第６２／１６０，４４２号、および２０１５年１０月２３日に出願された「ＰＯＳＩＴＩＯＮＩＮＧ  ＲＥＦＥＲＥＮＣＥ  ＳＩＧＮＡＬ  （ＰＲＳ）  ＧＥＮＥＲＡＴＩＯＮ  ＦＯＲ  ＭＵＬＴＩＰＬＥ  ＴＲＡＮＳＭＩＴ  ＡＮＴＥＮＮＡ  ＳＹＳＴＥＭＳ」と題する米国非仮出願第１４／９２１，８３６号の利益および優先権を主張するものであり、これらの出願は、本出願の譲受人に譲渡され、その全体が参照により本明細書に組み込まれる。
【０００２】
[0002]本明細書で開示される主題は、複数の送信アンテナシステムのための測位基準信号（ＰＲＳ）生成に関する。
【背景技術】
【０００３】
[0003]しばしば、セルラーフォンなどの端末のロケーションを知ることが望ましい。たとえば、ロケーションサービス（ＬＣＳ）クライアントは、緊急サービス呼の場合に、または航法支援もしくは方向探知などの何らかのサービスを端末のユーザに提供するために、端末のロケーションを知ることを望む場合がある。「ロケーション」および「位置」という用語は同義であり、本明細書では互換的に使用される。
【０００４】
[0004]観測到着時間差（ＯＴＤＯＡ）ベースの測位において、移動局は、複数の基地局からの受信信号の時間差を測定することができる。基地局の位置が知られているので、観測された時間差は、端末のロケーションを計算するために使用され得る。ロケーション決定をさらに助けるために、測位基準信号（ＰＲＳ）が、ＯＴＤＯＡ測位性能を向上させるために基地局（ＢＳ）によってしばしば提供される。基準セル（たとえば、サービングセル）および１つまたは複数の隣接セルからのＰＲＳの測定された到着時間差は、基準信号時間差（ＲＳＴＤ）として知られている。ＲＳＴＤ測定値、各セルの絶対的または相対的送信タイミング、ならびに基準セルおよび隣接セルについてのＢＳ物理送信アンテナ要素の既知の位置を使用して、ＵＥの位置が計算され得る。
【０００５】
[0005]しかしながら、基地局（ＢＳ）が複数の物理送信アンテナ要素を使用し、物理送信アンテナ要素がＰＲＳ機会の間で切り替えられるとき、異なる伝搬チャネルが異なるＰＲＳ機会に使用されている可能性があるので、到着時間（ＴＯＡ）値を決定するために、複数のＰＲＳ機会と、複数のＰＲＳ機会にわたるコヒーレント平均化／積分とを利用するＵＥのは、誤った結果を取得する場合がある。同様に、従来の分散アンテナシステム（ＤＡＳ）では、同じセルに属し、同じセル物理セル識別子（ＰＣＩ）を共有する、空間的に別個の物理送信アンテナ要素は、同じＰＲＳ信号を送信する。結果として、従来のＤＡＳでは、ＤＡＳの場合の信号送信機のロケーションはあいまいである場合があり、ＵＥ位置計算は誤りがあるかまたは可能ではない場合がある。空間的に別個のリモートラジオヘッド（ＲＲＨ）またはスモールセルによって作成される送信ポイントは、マクロセルと同じＰＣＩを有し、結果として、同一のＰＲＳ信号を送信し得るので、マクロセルカバレージエリア内で低電力ＲＲＨまたはスモールセル（たとえば、フェムトセル）を使用する旧来のシステムでは、位置計算はやはりあいまいである。
【発明の概要】
【０００６】
[0006]いくつかの実施形態では、測位基準信号（ＰＲＳ）シーケンスを生成するプロセッサ実装方法は、個別の物理アンテナポート（ＰＡＰ）識別子（ＩＤ）を単一のセルにサービスする複数の物理送信アンテナ要素の中の各物理送信アンテナ要素に割り当てることと、複数のＰＲＳシーケンスを生成することと、複数のＰＲＳシーケンスの中の各ＰＲＳシーケンスは、複数の物理送信アンテナ要素の中の個別の物理送信アンテナ要素に対応する、ここにおいて、各ＰＲＳシーケンスは、対応する物理送信アンテナ要素の対応するＰＡＰ  ＩＤ（ｈ）に少なくとも部分的に基づいて、対応する周波数シフトを有する、を備え得る。
【０００７】
[0007]いくつかの実施形態では、装置は、トランシーバと、ここにおいて、トランシーバは、ＰＲＳ情報を送信することが可能である、トランシーバに結合されたプロセッサと、ここにおいて、プロセッサは、個別の物理アンテナポート（ＰＡＰ）識別子（ＩＤ）を単一のセルにサービスする複数の物理送信アンテナ要素の中の各物理送信アンテナ要素に割り当てることと、複数のＰＲＳシーケンスを生成することと、複数のＰＲＳシーケンスの中の各ＰＲＳシーケンスは、複数の物理送信アンテナ要素の中の個別の物理送信アンテナ要素に対応する、ここにおいて、各ＰＲＳシーケンスは、対応する物理送信アンテナ要素の対応するＰＡＰ  ＩＤ（ｈ）に少なくとも部分的に基づいて、対応する周波数シフトを有する、を行うように構成され得る、を備え得る。
【０００８】
[0008]いくつかの実施形態では、装置は、ＰＲＳ情報を送信することが可能なトランシーバ手段と、送受信手段に結合された処理手段とを備え得、ここにおいて、処理手段は、個別の物理アンテナポート（ＰＡＰ）識別子（ＩＤ）を単一のセルにサービスする複数の物理送信アンテナ要素の中の各物理送信アンテナ要素に割り当てるための手段と、複数のＰＲＳシーケンスを生成するための手段と、複数のＰＲＳシーケンスの中の各ＰＲＳシーケンスは、複数の物理送信アンテナ要素の中の個別の物理送信アンテナ要素に対応する、ここにおいて、各ＰＲＳシーケンスは、対応する物理送信アンテナ要素の対応するＰＡＰ  ＩＤ（ｈ）に少なくとも部分的に基づいて、対応する周波数シフトを有する、を備え得る。
【０００９】
[0009]いくつかの実施形態では、物品は、個別の物理アンテナポート（ＰＡＰ）識別子（ＩＤ）を単一のセルにサービスする複数の物理送信アンテナ要素の中の各物理送信アンテナ要素に割り当てることと、複数のＰＲＳシーケンスを生成することと、複数のＰＲＳシーケンスの中の各ＰＲＳシーケンスは、複数の物理送信アンテナ要素の中の個別の物理送信アンテナ要素に対応する、ここにおいて、各ＰＲＳシーケンスは、対応する物理送信アンテナ要素の対応するＰＡＰ  ＩＤ（ｈ）に少なくとも部分的に基づいて、対応する周波数シフトを有する、を行うようにプロセッサによって実行可能な命令ツーを備える非一時的コンピュータ可読媒体を備え得る。
【００１０】
[0010]開示される方法は、ＬＰＰ、ＬＰＰｅまたは他のプロトコルを使用して、サーバ（ロケーションサーバを含む）、移動局などのうちの１つまたは複数によって実行され得る。開示される実施形態は、非一時的コンピュータ可読媒体またはコンピュータ可読メモリを使用してプロセッサ上で実施されるおよび／またはプロセッサによって作成され、記憶され、アクセスされ、読み取られ、もしくは変更される、ソフトウェアと、ファームウェアと、プログラム命令とにも関する。
【図面の簡単な説明】
【００１１】
【図１Ａ】[0011]ロケーション支援データまたはロケーション情報の転送を含むロケーションサービスをＵＥに提供することが可能な例示的なシステムのアーキテクチャを示す図。
【図１Ｂ】[0012]ロケーション支援データまたはロケーション情報の転送を含む、ＵＥへのプロビジョンロケーションサービスを示す簡略ブロック図。
【図２Ａ】[0013]ある例示的なシステム構成のためのＬＴＥ（登録商標）リソースブロックにおける例示的なＰＲＳ割振りを示す図。
【図２Ｂ】別の例示的なシステム構成のためのＬＴＥリソースブロックにおける例示的なＰＲＳ割振りを示す図。
【図２Ｃ】[0014]ＰＲＳシンボルの６つの個別の対角パターンを示すリソースブロックを示す図。
【図２Ｄ】[0015]サーバから移動局への支援データの転送と、移動局からサーバへのロケーション情報の転送とをサポートする基本的な手順のメッセージフローを示す図。
【図３Ａ】[0016]高電力で放射する単一の物理送信アンテナ要素を有する、旧来のシングル物理送信アンテナ要素システムを示す図。
【図３Ｂ】[0017]４つの物理送信アンテナ要素を有する、例示的なマルチ送信アンテナシステムを示す図。
【図４】[0018]単一のセルにサービスする複数のＲＲＨ送信機を有する、例示的なＲＲＨシステムを示す図。
【図５Ａ】[0019]アンテナ切替えシステムにおけるＰＲＳ送信に使用される論理アンテナポート６の、ＰＡＰ  ＩＤ  ０とＰＡＰ  ＩＤ  １とを有する物理アンテナポート（ＰＡＰ）への例示的なマッピングを示す図。
【図５Ｂ】[0020]ＤＡＳまたはＲＲＨシステムにおけるＰＲＳ送信に使用される論理アンテナポート６の、それぞれＰＡＰ  ＩＤ  ０〜ＰＡＰ  ＩＤ  ５を有する物理アンテナポートＰＡＰ０〜ＰＡＰ５への例示的なマッピングを示す図。
【図６Ａ】[0021]開示される実施形態に合致した形で移動局の位置を決定する例示的な方法のためのフローチャート。
【図６Ｂ】[0022]開示される実施形態に合致した形で移動局の位置を決定する例示的な方法のためのフローチャート。
【図７Ａ】[0023]開示される実施形態に合致した形で移動局の位置を決定する例示的な方法のためのフローチャート。
【図７Ｂ】[0024]開示される実施形態に合致した形でロケーション推定手順の間に使用され得る例示的な方法のためのフローチャート。
【図７Ｃ】[0025]複数の物理送信アンテナ要素を備えるシステムにおいて個別のＰＲＳシーケンスを生成する例示的な方法を示す図。
【図７Ｄ】[0026]単一のセルにサービスする複数の物理送信アンテナ要素を備えるシステムにおいて周波数シフトとともに個別のＰＲＳシーケンスを生成する例示的な方法を示す図。
【図８】[0027]開示される実施形態に合致した形でロケーション支援メッセージを受信し、ロケーション決定をサポートすることが可能な移動局の概略ブロック図。
【図９】[0028]ロケーション決定をサポートすることが可能にされる例示的なサーバなどの装置を示す概略ブロック図。
【発明を実施するための形態】
【００１２】
[0029]開示される実施形態は、アンテナダイバーシティ方式、ＤＡＳ、および／またはＲＲＨシステムが使用されている状況において、位置決定を改善し、ロケーション決定のためにＰＲＳパターンの使用を許可する、装置、システムおよび方法に関係する。いくつかの実施形態では、単一のセルにサービスする複数の物理送信アンテナ要素を備えるシステムにおいて、個別の物理アンテナポート（ＰＡＰ）識別子（ＩＤ）は、複数の物理送信アンテナ要素のうちの２つ以上のサブセットの中の各物理送信アンテナ要素に割り当てられ得る。次いで、物理送信アンテナ要素のサブセットの中の各物理送信アンテナ要素に対応するＰＲＳシーケンスが生成され得る。各ＰＲＳシーケンスは、物理送信アンテナ要素のサブセットの中の物理送信アンテナ要素に対応し得る。いくつかの実施形態では、各ＰＲＳシーケンスは、対応する物理送信アンテナ要素のＰＡＰ  ＩＤ（ｈ）に基づいて、対応する周波数シフトを有し得る。たとえば、周波数シフトは、対応する物理送信アンテナ要素のＰＡＰ  ＩＤ（ｈ）から取得される関数ｆ（ＰＡＰh）に基づき得る。
【００１３】
[0030]サブセットの中の物理送信要素ごとの個別のＰＲＳシーケンスの使用は、物理送信アンテナ要素のロケーションに関連するあいまいさの解消を容易にする。したがって、開示される実施形態は、ＤＡＳおよび／またはＲＲＨおよび／またはスモールセルを使用するシステムなど、複数の物理送信要素を有する環境において、ＰＲＳを使用するＯＴＤＯＡベースの位置を容易にする。いくつかの実施形態では、レガシー移動局による上記の周波数シフトされたＰＲＳ信号の利用を容易にするために、関数ｆ（ＰＡＰh）は、サブセットの中の物理送信アンテナ要素のうちの少なくとも１つについて周波数シフトが生じないように、０に設定され得る。いくつかの実施形態では、ｆ（ＰＡＰh）は、セルの地理的部分に関連付けられた識別子に基づき得る。さらに、いくつかの実施形態では、ＰＡＰ  ＩＤ（ｈ）は、対応する物理送信アンテナ要素のための観測到着時間差（ＯＴＤＯＡ）支援情報の一部として、移動局に送信され得る。
【００１４】
[0031]「移動局」（ＭＳ）、「ユーザ機器」（ＵＥ）または「ターゲット」という用語は、本明細書では互換的に使用され、セルラーもしくは他のワイヤレス通信デバイス、パーソナル通信システム（ＰＣＳ）デバイス、パーソナルナビゲーションデバイス（ＰＮＤ）、パーソナル情報マネージャ（ＰＩＭ）、携帯情報端末（ＰＤＡ）、ラップトップ、またはワイヤレス通信信号および／もしくはナビゲーション信号を受信することが可能な他の適切なモバイルデバイスなどのデバイスを指すことができる。これらの用語は、衛星信号受信、支援データ受信、および／または位置関連処理がデバイスにおいて行われるか、またはパーソナルナビゲーションデバイス（ＰＮＤ）において行われるかにかかわらず、短距離ワイヤレス、赤外線、ワイヤライン接続、または他の接続などによって、ＰＮＤと通信するデバイスを含むことも意図されている。
【００１５】
[0032]加えて、ＵＥ、ＭＳ、「移動局」または「ターゲット」という用語は、衛星信号受信、支援データ受信、および／または位置関連処理がデバイスにおいて行われるか、サーバにおいて行われるか、またはネットワークに関連付けられた別のデバイスにおいて行われるかにかかわらず、インターネット、ＷｉＦｉ（登録商標）、セルラーワイヤレスネットワーク、ＤＳＬネットワーク、パケットケーブルネットワークまたは他のネットワークなどを介してサーバと通信することが可能な、ワイヤレスおよびワイヤラインの通信デバイス、コンピュータ、ラップトップなどを含む、すべてのデバイスを含むことが意図されている。上記の任意の動作可能な組合せも「移動局」と見なされる。
【００１６】
[0033]図１Ａは、ＵＥ１２０と、いくつかの事例では、ロケーションサーバまたは別のネットワークエンティティの形態をとることができるサーバ１５０との間のロングタームエボリューション（ＬＴＥ）測位プロトコル（ＬＰＰ）メッセージまたはＬＰＰ拡張（ＬＰＰｅ）メッセージなどのメッセージを使用して、ロケーション支援データまたはロケーション情報の転送を含むロケーションサービスをＵＥに提供することが可能なシステム１００のアーキテクチャを示す。ロケーション情報の転送は、ＵＥ１２０とサーバ１５０の両方に適したレートで行われ得る。ＬＰＰプロトコルはよく知られており、第３世代パートナーシッププロジェクト（３ＧＰＰ（登録商標））として知られる組織からの様々な公的に入手可能な技術仕様書に記載されている。ＬＰＰｅは、オープンモバイルアライアンス（ＯＭＡ）によって定義されており、各組み合わされたＬＰＰ／ＬＰＰｅメッセージが、埋め込まれたＬＰＰｅメッセージを備えるＬＰＰメッセージになるように、ＬＰＰと組み合わせて使用され得る。
【００１７】
[0034]多くの事例では、ＢＳは複数の物理送信アンテナ要素１４０を使用し得る。たとえば、都市環境では、しばしば、送信機とＵＥ１２０との間に明瞭な見通し線（ＬＯＳ）がない場合があり、その結果、信号が受信前に複数のパスに沿って反射され得る。これらの反射は、受信端末において互いに破壊的に干渉する場合がある、位相シフトと、時間遅延と、減衰と、ひずみとをもたらす可能性がある。
【００１８】
[0035]いくつかの実施形態では、システム１００は、マルチパス干渉を低減するためにおよび他の理由で、アンテナダイバーシティ方式、ならびに／または、複数のＲＲＨ送信要素もしくは複数の物理送信アンテナ要素１４０−１と、１４０−２と、１４０−３と、１４０−４と（物理送信アンテナ要素１４０と総称されることがある）を有するＲＲＨシステムもしくはＤＡＳを使用し得る。たとえば、システム１００は、共通のソースに接続された空間的に分離された物理送信アンテナ要素１４０−１、１４０−２、１４０−３および１４０−４のネットワークであるＤＡＳであってもよい。ＤＡＳ’は、セルの中の高電力で放射する単一の物理送信アンテナ要素を、同じセルをカバーする空間的に分散された物理送信アンテナ要素１４０−１、１４０−２、１４０−３および１４０−４のグループに置き換えることができる。ＤＡＳは、単一の物理送信アンテナ要素と同じエリアにわたるカバレージを可能にすることができるが、総電力が低減され、信頼性が改善される。たとえば、単一の基地局ならびに低電力物理送信アンテナ要素１４０−１、１４０−２、１４０−３および１４０−４のグループは、建造物全体、都市ブロック、キャンパス、または別のエリアにワイヤレスカバレージを提供するために使用され得る。
【００１９】
[0036]別の例として、システム１００は、ＢＳから物理的に離れていてもよい、空間的に分散された無線送信機のネットワークが、光ファイバケーブルまたは他の高速リンクを使用してＢＳに接続される、リモートラジオヘッド（ＲＲＨ）システムまたはスモールセルシステムの形態をとることができる。たとえば、複数の物理送信アンテナ要素１４０またはＲＲＨ送信要素またはスモールセル送信アンテナ要素は、単一のセルに集合的にサービスしてもよく、ＲＲＨまたはスモールセルは、ＢＳのカバレージをトンネル、地方地域などに拡張するために使用され得る。
【００２０】
[0037]簡単にするために、１つのＵＥ１２０および１つのサーバ１５０だけが図１Ａに示されている。一般に、システム１００は、追加のネットワーク１３０、ＬＣＳクライアント１６０、ＵＥ１２０、サーバ１５０、物理送信アンテナ要素１４０、およびスペースビークル（ＳＶ）１８０とともに、複数のセルを備え得る。システム１００は、本明細書で開示される実施形態に合致した形で、単一の物理送信アンテナ要素、アンテナダイバーシティ方式、ＤＡＳ、および／またはＲＲＨもしくはスモールセルの何らかの組合せを使用する、セルの混合をさらに備え得る。
【００２１】
[0038]ＵＥ１２０は、限定はしないが、ＬＴＥサービングネットワークとともに使用するための、ＯＭＡによって定義されたセキュアユーザプレーンロケーション（ＳＵＰＬ）ロケーションソリューションと、３ＧＰＰによって定義された制御プレーンロケーションソリューションとを含み得る、測位とロケーションサービスとをサポートする１つまたは複数のネットワーク１３０を介して、サーバ１５０とワイヤレスに通信することが可能であってもよい。たとえば、ロケーションサービス（ＬＣＳ）は、（ロケーションサーバの形態をとることができる）サーバ１５０にアクセスし、ＵＥ１２０のロケーションの要求を発行するＬＣＳクライアント１６０のために実行され得る。次いで、サーバ１５０は、ＵＥ１２０のロケーション推定値でＬＣＳクライアント１６０に応答することができる。ＬＣＳクライアント１６０は、たとえば、サーバ１５０およびＵＥ１２０によって使用されるロケーションソリューションがＳＵＰＬであるとき、ＳＵＰＬエージェントとして知られる場合もある。いくつかの実施形態では、ＵＥ１２０は、ＵＥ１２０内の何らかの測位対応機能に対してロケーション要求を発行し、後でＵＥ１２０についてのロケーション推定値を受信し得る、ＬＣＳクライアントまたはＳＵＰＬエージェント（図１Ａに図示せず）も含み得る。ＵＥ１２０内のＬＣＳクライアントまたはＳＵＰＬエージェントは、ＵＥ１２０のユーザのためにロケーションサービスを実行する、たとえば、ナビゲーション指示を提供するか、またはＵＥ１２０の近傍内の関心点を識別することができる。
【００２２】
[0039]本明細書で使用されるサーバ１５０は、ＳＵＰＬロケーションプラットフォーム（ＳＬＰ）、発展型サービングモバイルロケーションセンター（ｅＳＭＬＣ）、サービングモバイルロケーションセンター（ＳＭＬＣ）、ゲートウェイモバイルロケーションセンター（ＧＭＬＣ）、位置決定エンティティ（ＰＤＥ）、スタンドアロンＳＭＬＣ（ＳＡＳ）などであってもよい。
【００２３】
[0040]図１Ａに示されているように、ＵＥ１２０は、ネットワーク１３０とネットワーク１３０に関連付けられ得る物理送信アンテナ要素１４０とを介してサーバ１５０と通信することができる。ＵＥ１２０は、位置決定に使用され得る信号を物理送信アンテナ要素１４０から受信し、測定することができる。いくつかの実施形態では、いくつかの物理送信アンテナ要素１４０は、ワイヤレスワイドエリアネットワーク（ＷＷＡＮ）であり得るワイヤレス通信ネットワークの一部を形成することができる。他の物理アンテナ送信要素１４０は、ワイヤレスローカルエリアネットワーク（ＷＬＡＮ）ワイヤレスパーソナルエリアネットワーク（ＷＰＡＮ）などの一部を形成することができる。「ネットワーク」および「システム」という用語は、本明細書ではしばしば互換的に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ロングタームエボリューション（ＬＴＥ）、ＷｉＭａｘ（登録商標）などであり得る。
【００２４】
[0041]ＣＤＭＡネットワークは、ｃｄｍａ２０００、高速パケットデータ（ＨＲＰＤ）、広帯域ＣＤＭＡ（Ｗ−ＣＤＭＡ（登録商標））などの１つまたは複数の無線アクセス技術（ＲＡＴ）を実装し得る。ｃｄｍａ２０００は、ＩＳ−９５規格と、ＩＳ−２０００規格と、ＩＳ−８５６規格とを含む。ＴＤＭＡネットワークは、モバイル通信用グローバルシステム（ＧＳＭ（登録商標））、デジタルアドバンストモバイルフォンシステム（Ｄ−ＡＭＰＳ）、または何らかの他のＲＡＴを実装し得る。ＧＳＭ、Ｗ−ＣＤＭＡ、およびＬＴＥは、３ＧＰＰからの文書に記載されている。ＷＣＤＭＡ（登録商標）はまた、ユニバーサルモバイルテレコミュニケーションシステム（ＵＭＴＳ）の一部である。ＨＲＰＤおよびＣｄｍａ２０００は、「第３世代パートナーシッププロジェクト２」（３ＧＰＰ２）と称する団体からの文書に記載されている。３ＧＰＰおよび３ＧＰＰ２の文書は、公的に入手可能である。ＷＬＡＮは、ＩＥＥＥ８０２．１１ｘネットワークであり得、ＷＰＡＮは、Ｂｌｕｅｔｏｏｔｈ（登録商標）ネットワーク、ＩＥＥＥ８０２．１５ｘ、または何らかの他のタイプのネットワークであり得る。本技法はまた、ＷＷＡＮ、ＷＬＡＮおよび／またはＷＰＡＮの任意の組合せとともに実装され得る。たとえば、物理送信アンテナ要素１４０およびネットワーク１３０は、たとえば、発展型ＵＭＴＳ地上波無線アクセスネットワーク（Ｅ−ＵＴＲＡＮ）（ＬＴＥ）ネットワーク、Ｗ−ＣＤＭＡ  ＵＴＲＡＮネットワーク、ＧＳＭ／ＥＤＧＥ無線アクセスネットワーク（ＧＥＲＡＮ）、１ｘＲＴＴネットワーク、エボリューションデータオプティマイズド（ＥｖＤＯ）ネットワーク、ＷｉＭａｘネットワークまたはＷＬＡＮの一部を形成することができる。
【００２５】
[0042]ＵＥ１２０は、衛星測位システム（ＳＰＳ）の一部であり得る、スペースビークル（ＳＶ）１８０と総称される１つまたは複数の地球周回ＳＶ１８０−１または１８０−２から信号を受信することもできる。ＳＶ１８０は、たとえば、米国の全地球測位システム（ＧＰＳ）、欧州のＧａｌｉｌｅｏシステム、ロシアのＧｌｏｎａｓｓシステムまたは中国のＣｏｍｐａｓｓ／ＢｅｉＤｏｕシステムなどの全地球航法衛星システム（ＧＮＳＳ）のコンスタレーション中にあり得る。いくつかの態様によれば、本明細書で提示される技法は、ＳＰＳのためのグローバルシステム（たとえば、ＧＮＳＳ）に限定されない。たとえば、本明細書で提供される技法は、たとえば、日本上空の準天頂衛星システム（ＱＺＳＳ）、インド上空のインド地域航法衛星システム（ＩＲＮＳＳ）、ならびに／または、１つもしくは複数の全地球航法衛星システムおよび／もしくは地域航法衛星システムに関連付けられるかそれとともに使用するために他の方法で使用可能にされ得る様々なオーグメンテーションシステム（たとえば、衛星ベースオーグメンテーションシステム（ＳＢＡＳ））などの様々な地域システムでの使用に適用されるかまたは他の方法で使用可能にされ得る。限定ではなく例として、ＳＢＡＳは、たとえば、ワイドエリアオーグメンテーションシステム（ＷＡＡＳ）、欧州静止ナビゲーションオーバーレイサービス（ＥＧＮＯＳ）、多機能衛星オーグメンテーションシステム（ＭＳＡＳ）、ＧＰＳ支援ジオオーグメンテッドナビゲーションまたはＧＰＳおよびジオオーグメンテッドナビゲーションシステム（ＧＡＧＡＮ）など、完全性情報、微分補正などを提供するオーグメンテーションシステムを含み得る。したがって、本明細書で使用されるＳＰＳは、１つまたは複数の全地球航法衛星システムおよび／または地域航法衛星システムならびに／あるいはオーグメンテーションシステムの任意の組合せを含み得、ＳＰＳ信号は、ＳＰＳ信号、ＳＰＳ様信号、および／またはそのような１つまたは複数のＳＰＳに関連付けられた他の信号を含み得る。
【００２６】
[0043]図１Ｂは、ＵＥ１２０のロケーションを決定することが可能なシステム１７５内のいくつかのエンティティを示す簡略ブロック図を示す。図１Ｂを参照すると、ＵＥ１２０は、測定値および／またはロケーション推定値１７３を取得するために、基準ソース１７０からの信号を測定することができる。基準ソース１７０は、ＳＶ１８０および／またはネットワーク１３０に関連付けられた物理送信アンテナ要素１４０からの信号を表すことができる。したがって、ＵＥ１２０は、ＳＶ１８０の擬似距離測定値および／または物理送信アンテナ要素１４０からのＯＴＤＯＡ関連測定値を測定することによって、測定値１７２を取得することができる。いくつかの事例では、ＵＥ１２０は、測定値１７２を使用することによってロケーション推定値１７３を取得することもでき、測定値１７２は、ＵＥ１２０の推定位置を導出するための擬似距離および／またはＯＴＤＯＡ関連測定値であってもよい。ＵＥ１２０は、ロケーション推定値１７３または測定値１７２（たとえば、１つもしくは複数のＧＮＳＳからの衛星測定値、または１つもしくは複数のネットワークからのＲＳＴＤなどのネットワーク測定値など）などのロケーション関連情報をサーバ１５０に提供することができる。
【００２７】
[0044]いくつかの事例では、ＵＥ１２０によってとられたＯＴＤＯＡ関連測定値は、ＵＥ１２０についての位置推定値を導出するために、サーバ１５０に送られ得る。サーバ１５０は、ＵＥ１２０の近似ロケーションおよび／またはロケーション支援データ１７８などのロケーション関連情報をＵＥ１２０に提供することができ、この情報は、ＵＥ１２０が、ＳＶ１８０および物理送信アンテナ要素１４０から信号を獲得および測定するのを、ならびに／あるいは、これらの測定値１７２からロケーション推定値１７３を導出または洗練するのを支援するために使用され得る。たとえば、いくつかの事例ではセキュアユーザプレーン（ＳＵＰＬ）対応端末（ＳＥＴ）の形態をとることができるＵＥ１２０は、サーバ１５０と通信し、ロケーション支援データ１７８を使用する、ＵＥ１２０についてのロケーション推定値を取得することができ、ロケーション推定値は次いで、ＬＣＳクライアント１６０（図１Ｂに図示せず）に通信され得る。
【００２８】
[0045]図１Ａを参照すると、いくつかの実施形態では、物理送信アンテナ要素１４０は、測位基準信号（ＰＲＳ）を送信することもできる。３ＧＰＰロングタームエボリューション（ＬＴＥ）リリース９において定義されているＰＲＳは、測位機会にグループ化される特殊な測位サブフレーム内で基地局によって送信される。たとえば、ＬＴＥでは、１つ、２つ、４つ、または６つの連続する測位サブフレームを備えることができる測位機会は、１６０、３２０、６４０、または１２８０ミリ秒間隔で周期的に生じる。
【００２９】
[0046]各測位機会内に、ＰＲＳは一定の電力で送信される。ＰＲＳは、ゼロ電力で（すなわち、ミュート(mute)されて）送信される場合もある。規則的にスケジュールされたＰＲＳ送信をオフにするミューティング(muting)は、セル間のＰＲＳパターンがオーバーラップするときに有用であり得る。ミューティングは、ＵＥ１２０による信号獲得を助ける。ミューティングは、特定のセルでの所与の測位機会の間のＰＲＳの非送信と見なされ得る。ミューティングパターン(muting pattern)は、ビットストリングを使用してＵＥ１２０にシグナリングされ得る。たとえば、ミューティングパターンをシグナリングするビットストリング内で、位置ｊにおけるビットが「１」に設定される場合、ＵＥは、ＰＲＳがｊ番目の測位機会の間にミュートされると推論することができる。
【００３０】
[0047]ミューティングは、いくつかの事例では、時間領域における送信ポイントの分離を容易にすることができる。しかしながら、ミューティングがロケーション決定に使用されるとき、移動局は通常、ミューティングパターンとＲＳＴＤ測定値とをロケーションサーバに報告し、このことが追加のオーバーヘッドを生み出す。さらに、上記のオーバーヘッドに加えて、ミューティングパターン測定値に基づくロケーションサービスを利用するために、移動局は、（ｉ）（ロケーションサービスに関連付けられたミューティングパターン測定値が報告され得るように）ミューティングパターンがロケーションサービスに関連付けられるのはいつかと、（ｉｉ）（干渉緩和に関連するミューティングパターン測定値が報告されないように）ミューティングパターンが干渉緩和のみに使用されているのはいつかとを決定するために、ロケーション支援をさらに要求し得る。
【００３１】
[0048]さらに、ミューティングパターンを測定する能力がないレガシー移動局は、ロケーションサービスを利用することができない場合がある。たとえば、レガシー移動局は、「コンポジット信号」を測定するにすぎない場合があり、ロケーションサーバは、測定値に基づいて送信ポイントを識別することができない場合がある。加えて、ミューティングパターンは主に、干渉を低減するように設計されているので、追加として送信ポイントを区別する（たとえば、ＲＲＨ分離を行う）ためにミューティングパターンを使用することは、ネットワークの複雑性をもたらし、干渉低減のためのミューティングパターンの使用をさらに制約する場合がある。さらに、１６ビットのミューティングパターンは、ＬＰＰ規格下でサポートされる最大７２個までの送信ポイントの分離を許可しない。
【００３２】
[0049]ＰＲＳの可聴性をさらに改善するために、測位サブフレームは、ユーザデータチャネルを用いずに送信される低干渉サブフレームであり得る。その結果、理想的に同期したネットワークでは、ＰＲＳは、データ送信からではなく、同じＰＲＳパターンインデックスを有する（すなわち、同じ周波数シフトを有する）他のセルＰＲＳ’から干渉を受ける場合がある。周波数シフトは、物理セル識別子（ＰＣＩ）の関数として定義され、６という有効周波数再利用係数をもたらす。
【００３３】
[0050]図２Ａおよび図２Ｂは、２つの例示的なシステム構成のためのＬＴＥリソースブロックにおける例示的なＰＲＳ割振りを示す。ＬＴＥは、１つ、２つまたは４つの物理ブロードキャストチャネル（ＰＢＣＨ）アンテナポートを使用して基準信号の送信をサポートする。図２Ａは、１つおよび２つのＰＢＣＨアンテナポートを有するシステム２００のための構成を示す。図２Ｂは、４つのＰＢＣＨアンテナポートを有するシステム２２０のための構成を示す。図２Ａおよび図２Ｂでは、時間は水平軸に沿って示されており、周波数は垂直軸上に示されている。図２Ａおよび図２Ｂに示されているように、ＬＴＥ  ＰＲＳ’は論理アンテナポート６上で送信される。
【００３４】
[0051]ダウンリンク周波数分割複信（ＦＤＤ）モードで各々が１０ｍｓ持続時間のＬＴＥ無線フレームでは、ＬＴＥ無線フレームは、各々が１ｍｓ持続時間の１０個のサブフレームに編成され得る。周波数領域において、利用可能な帯域幅は、均等に離間した直交サブキャリアに分割され得る。たとえば、１５ＫＨｚスペーシングを使用する通常長サイクリックプレフィックスでは、サブキャリアは、１２個からなるグループにひとくくりにされ得る。１２個のサブキャリアを備え得る各グループ分けは、リソースブロックと呼ばれる。
【００３５】
[0052]通常サイクリックプレフィックス（ＣＰ）が仮定されるとき、リソースブロックは、時間では１４個の直交周波数分割多重（ＯＦＤＭ）シンボルと、周波数では１２個のサブキャリアとを含み得る。上記の図２Ａおよび図２Ｂでは、各サブキャリアは１５ｋＨｚを占有し、サイクリックプレフィックスを含むＯＦＤＭシンボル持続時間は１／１４ミリ秒（ＵＥ）である。ＬＴＥキャリアの送信帯域幅構成とも呼ばれる、各チャネル上の利用可能なリソースブロックの数は、１．４ＭＨｚから２０ＭＨｚのチャネル帯域幅に対応する、６つから１００個のリソースブロックの範囲内にあり得る。
【００３６】
[0053]図２Ａおよび図２Ｂでは、各四角は、時間領域インデックス「ｌ」を有するサブキャリアのリソース要素を示す。さらに、図２Ａおよび図２Ｂでは、Ｒ6と標示されているＯＦＤＭシンボルは、たとえば、ＰＲＳシンボル２０２（図２Ａ）およびＰＲＳシンボル２２２（図２Ｂ）などのＰＲＳシンボルである。したがって、Ｒ6と標示された四角は、１４個のＯＦＤＭシンボルにわたる１２個のサブキャリアのブロックにおけるＰＲＳリソース要素を示す。
【００３７】
[0054]図２Ａおよび図２Ｂに示されているように、ＰＲＳシンボルは、対角パターンで配置されている。周波数領域において、ＰＲＳシンボルは、図２ＡのＰＲＳシンボル２０２および２０４と、図２ＢのＰＲＳシンボル２２２および２２４とによって示されるように、６つのサブキャリアだけ離れている。
【００３８】
[0055]図２Ｃは、ＰＲＳシンボルの６つの個別の対角パターンを示すリソースブロックを示す。ＰＲＳシンボルは、図２Ｃでは、ＣＩＤ＃０  ２２５、ＣＩＤ＃１  ２２７、ＣＩＤ＃２  ２２９、ＣＩＤ＃３  ２３１、ＣＩＤ＃４  ２３３、ＣＩＤ＃５  ２３５、およびＣＩＤ  ＃５  ２３５として示されている。図２Ｃでは、各ＰＲＳシンボルは、個別の陰影パターンを使用して表される。ＰＲＳパターンは周波数シフトによって決定され、周波数シフトは、物理セル識別子（ＰＣＩ）の関数として定義され、６という有効周波数再利用係数をもたらす。周波数シフトは、ｖｓｈｉｆｔ＝ｍｏｄ（ＰＣＩ，６）によって与えられ、ここで、「ｍｏｄ」関数は係数を表し、第１の引数（ＰＣＩ）が第２の引数（６）で割られるとき、余りを生じる。したがって、セルのＰＣＩは、事実上、６つの利用可能なＰＲＳパターンのうちの１つを決定する。２つのセル、たとえば、ＰＣＩ０を有するセルおよびＰＣＩ６を有するセルが同じｖｓｈｉｆｔ値を有する場合、それらのセルは周波数領域において衝突し、互いに干渉する。
【００３９】
[0056]セルによって送信されるＰＲＳシーケンスは、３ＧＰＰ規格および技術仕様書において次のように指定される。
【００４０】
【数１】
2018518667.tif 000003
【００４１】
ここで、
ｎsは無線フレーム内のスロット数であり（スロット＝０．５ＵＥ；フレーム＝１０ＵＥ）、
ｎs＝０．．．１９である。
ｌはスロット内のＯＦＤＭシンボル数であり、
通常サイクリックプレフィックスの場合、ｌ＝０．．．６、
拡張サイクリックプレフィックスの場合、ｌ＝０．．．５である。
ｃ（ｉ）は長さ３１のＧｏｌｄシーケンスである。
【００４２】
【数２】
2018518667.tif 000004
【００４３】
は、
【００４４】
【数３】
2018518667.tif 000005
【００４５】
の倍数で表される、最大ダウンリンク帯域幅構成である。
【００４６】
【数４】
2018518667.tif 000006
【００４７】
は、サブキャリアの数として表される、周波数領域におけるリソースブロックサイズである。
１５ｋＨｚスペーシング（合計１８０ｋＨｚ）を有する、ＰＲＳのための
【００４８】
【数５】
2018518667.tif 000007
【００４９】
個のサブキャリア。
【００５０】
[0057]Ｇｏｌｄシーケンスは、電気通信および衛星ナビゲーションにおいて使用されるバイナリシーケンスであり、Ｇｏｌｄコードシーケンスのセットが小さい有界相互相関（bounded cross-correlations）を有するので、複数のデバイスが同じ周波数範囲でブロードキャストしているときに有用である。
【００５１】
[0058]ｃ（ｉ）のための擬似ランダムシーケンス生成器は、各ＯＦＤＭシンボルの開始時に
【００５２】
【数６】
2018518667.tif 000008
【００５３】
で初期化され、ここで、
【００５４】
【数７】
2018518667.tif 000009
【００５５】
【数８】
2018518667.tif 000010
【００５６】
物理レイヤセル識別情報（ＰＣＩ）である。
基準信号シーケンスは、スロットｎs内のアンテナポートｐ＝６のための基準信号として使用される複素数値ＱＰＳＫ変調
【００５７】
【数９】
2018518667.tif 000011
【００５８】
シンボルにマッピングされる：
【００５９】
【数１０】
2018518667.tif 000012
【００６０】
ここで、
通常サイクリックプレフィックス：
【００６１】
【数１１】
2018518667.tif 000013
【００６２】
拡張サイクリックプレフィックス：
【００６３】
【数１２】
2018518667.tif 000014
【００６４】
[0059]測位基準信号の帯域幅は
【００６５】
【数１３】
2018518667.tif 000015
【００６６】
であり、セル固有の周波数シフトは
【００６７】
【数１４】
2018518667.tif 000016
【００６８】
ｍｏｄ６によって与えられる（ｖｓｈｉｆｔ＝ｍｏｄ（ＰＣＩ，６）とも書かれる）。したがって、セルによって送信されるＰＲＳは、セルのフレームおよびスロットタイミング（ｎs，ｌ）と、サイクリックプレフィックス長（ＮCP）と、ＰＣＩ
【００６９】
【数１５】
2018518667.tif 000017
【００７０】
とによって決定される。
【００７１】
[0060]連続する測位サブフレームの数、周期性、ミューティングパターンなどのＰＲＳ構成パラメータは、ネットワーク１３０によって決定され得、ＯＴＤＯＡ支援データの一部としてＵＥ１２０に（たとえば、サーバ１５０によって）シグナリングされ得る。ＯＴＤＯＡ支援データは、基準セル情報（ＰＣＩ）と、ネイバーセルのＰＣＩとそれらのセルのＰＲＳ構成パラメータとを含んでいるネイバーセルリストとを含み得る。ＯＴＤＯＡ支援情報は、ＵＥが、様々なセルから受信される信号上でいつＰＲＳ測位機会が生じるかを決定することと、ＴＯＡを測定するために様々なセルから送信されるＰＲＳシーケンスを決定することとを可能にすることができる。
【００７２】
[0061]従来のシステムでは、各物理送信アンテナ要素が異なる干渉環境を経験し、それにより、同じ信号のいくつかの観測値をＵＥ１２０に与える場合があるので、アンテナダイバーシティはしばしば、マルチパス干渉を軽減するために使用される。たとえば、ある物理送信アンテナ要素がディープフェードを経験している場合、別の物理送信アンテナ要素が端末において十分な信号を有する可能性がある。しかしながら、従来のシステムでは、ＰＲＳは単一のアンテナポート−ポート６−から送信され、したがって、複数の物理送信アンテナ要素からのダイバーシティを利用することができない。この制限を克服するために、従来のシステムでは、基地局は、ＰＲＳのための物理送信アンテナ要素の切替えを用いることができ、ここで、物理送信アンテナ要素は、ＰＲＳ機会の間で切り替えられる。したがって、各ＰＲＳ機会は、単一の物理送信アンテナ要素から送信され得るが、ＰＲＳ機会は、いくつかの物理送信アンテナ要素の間で交互に起こる。上記の状況では、ＵＥが、到着時間（ＴＯＡ）値を決定するために、複数のＰＲＳ機会と、複数のＰＲＳ機会にわたるコヒーレント平均化／積分とを使用する場合、コヒーレント平均化から取得されたＴＯＡ値は、異なるＰＲＳ機会に対して異なる伝搬チャネルを使用するせいで、誤っていることになる。
【００７３】
[0062]同様に、ＤＡＳを使用する従来のシステムでは、同じセルに属し、同じセル物理セル識別子（ＰＣＩ）を共有する、地理的に分散されたＤＡＳ物理送信アンテナ要素は、同じＰＲＳ信号を送信するので、ＵＥは、受信されたＰＲＳ信号を個々のＤＡＳ要素と相関させることができない。結果として、ＤＡＳの場合の信号送信機のロケーションはあいまいである場合があり、ＵＥ位置計算は可能ではない場合がある。
【００７４】
[0063]リモートラジオヘッド（ＲＲＨ）またはスモールセルによって作成される送信ポイントは、マクロセルと同じＰＣＩを有し、結果として、同一のＰＲＳ信号を送信し得るので、マクロセルカバレージエリア内で低電力ＲＲＨまたはスモールセルを使用する旧来のシステムでは、位置計算はやはりあいまいである。たとえば、このことは、いくつかのシナリオでは、ＬＴＥアドバンスト多地点協調（ＣｏＭＰ）送信を使用するときに生じ得る。ＣｏＭＰは、送信信号間の干渉を軽減し、受信信号品質を高めるための複数の送信ポイント間の協調のためのプロトコルと技法とに関する。
【００７５】
[0064]これらのシナリオでは、ＵＥは、受信されたＰＲＳ信号を個々のＲＲＨ要素に相関させることができず、それにより、ロケーション計算におけるあいまいさを引き起こす。
【００７６】
[0065]したがって、いくつかの実施形態では、たとえば、アンテナ切替えが使用される状況では、ＯＴＤＯＡ支援情報は、ＰＲＳ送信のためのアンテナ切替えがセルにおいて使用されるかどうかを示すアンテナ切替え支援情報などのＰＲＳ支援情報を含み得る。いくつかの実施形態では、ＵＥ１２０に送られるＰＲＳ支援データは、追加のアンテナ切替え支援情報も含み得る。たとえば、サーバ１５０は、ＬＰＰプロトコルまたはＬＰＰｅプロトコルの一部として提供されるＯＴＤＯＡ支援データにおいてアンテナ切替え支援情報を含み得る。
【００７７】
[0066]一実施形態では、アンテナ切替え支援情報は、ＰＲＳ測位機会間のアンテナ切替えがセルにおいて行われるかどうかを示すブールパラメータ（Boolean parameter）を含み得る。セルに対するブールパラメータは、アンテナ切替えがセルにおいて行われる場合、ＴＲＵＥに設定され得、または、アンテナ切替えがセルにおいて行われない場合、ＦＡＬＳＥに設定され得る。セルに対してＴＲＵＥに設定される場合、ブールパラメータは、複数のＰＲＳ機会にわたるコヒーレント平均化がそのセルに使用されるべきではないことをＵＥ１２０に示し得る。セルに対してＦＡＬＳＥに設定される場合、ブールパラメータは、ＵＥ１２０がロケーション決定のためのＴＯＡ値を決定するために複数のＰＲＳ機会をコヒーレントに使用することができることを示し得る。
【００７８】
[0067]別の実施形態では、ＵＥ１２０は、到着時間（ＴＯＡ）を決定するために単一のＰＲＳ測位機会を使用し得る。アンテナ切替えがＰＲＳ機会間で使用されることをアンテナ切替え支援データが示す場合、ＵＥ１２０は、たとえば、ＰＲＳ機会ごとに１つのＴＯＡ値を決定することによって、複数のＴＯＡ値を決定し得る。アンテナ切替えの場合、各ＰＲＳ機会が異なる干渉／チャネル環境を経験し得るので、ＰＲＳ測位機会からの各ＴＯＡは、わずかに異なり得る。最も短いＴＯＡ値は位置計算目的で所望のＬＯＳ遅延により近い可能性があるので、ＵＥは、最終ＴＯＡ測定値として、ＴＯＡ値のセットの中から最も短いＴＯＡ値を選択し得る。
【００７９】
[0068]アンテナ切替えがＰＲＳ機会間で使用されないことをアンテナ切替え支援データが示す場合、ＵＥ１２０は、上記で説明されたようにＴＯＡ値のセットを決定しない場合がある。ＰＲＳが（たとえば、物理送信アンテナ要素切替えなしで）単一の物理送信アンテナ要素から送信される場合、各ＰＲＳ機会は、本質的に同じ無線チャネルを経験し得、したがって、複数のＴＯＡを決定することは有利ではない場合がある。したがって、いくつかの実施形態では、ＵＥ１２０は、複数のＴＯＡ値の決定が有用であるかどうかを決定するために、有利にはアンテナ切替え支援データを使用することができ、それにより、アンテナ切替えが使用されない状況において電力リソースとプロセッサリソースとを節約する。
【００８０】
[0069]別の実施形態では、アンテナ切替え支援情報は、アンテナ切替えパターン情報を提供し得る。アンテナ切替えパターン情報は、たとえば、アンテナ切替えはＰＲＳ測位機会ごとに実行されないが、物理送信アンテナ要素１４０−１、１４０−２、１４０−３、および／または１４０−４の間の切替えはｒ番目のＰＲＳ測位機会ごとに行われ得る、ここで、ｒ≧１である、は何らかの整数である、状況において、有用であり得る。たとえば、ｒ＝２の場合、物理送信アンテナ要素１４０−１、１４０−２、１４０−３、および／または１４０−４の間の切替えは、２つのＰＲＳ測位機会ごとに行われ得る。
【００８１】
[0070]いくつかの実施形態では、アンテナ切替えパターン情報は、ビットストリングの形態をとることができる。ビットストリングは、たとえば、いつアンテナ切替えが行われるかと、物理送信アンテナ要素がセルにおいて切り替えられる前に何個のＰＲＳ測位機会が送信されるかとを示すことができる。いくつかの実施形態では、アンテナ切替えパターン情報は、行列を使用して提供され得、ここで、行列の各行は、アンテナ１４０−１、１４０−２、１４０−３、および１４０−４のうちの１つなどの物理送信アンテナ要素を表し、各列は、ＰＲＳ測位機会を表す。したがって、たとえば、行列のｘ番目の行およびｙ番目の列のロケーション（ｘ，ｙ）における「１」は、スケジュールされたｙ番目のＰＲＳ測位機会がｘ番目の物理送信アンテナ要素によって送信されることを示し得るが、ロケーション（ｘ，ｙ）における「０」は、スケジュールされたｙ番目の測位機会ＰＲＳ機会がｘ番目の物理送信アンテナ要素によって送信されないことを示し得る。いくつかの実施形態では、切替え情報は、システムフレーム番号０（ＳＦＮ＝０）を有する無線フレームに対して定義され得る。
【００８２】
[0071]たとえば、２つの物理送信アンテナ要素を有する事例では、ＰＲＳ測位機会ごとのアンテナ切替えは、
【００８３】
【数１６】
2018518667.tif 000018
【００８４】
によって示され得る。上記の例では、行列の各行は物理送信アンテナ要素に対応し得、行列の各列はＰＲＳ機会を示し得る。上記の例では、切替えはＰＲＳ測位機会ごとに行われる。
【００８５】
[0072]２つのＰＲＳ測位機会ごとのアンテナ切替えを示す行列は、形態
【００８６】
【数１７】
2018518667.tif 000019
【００８７】
をとることができる。上記の行列は、物理送信アンテナ要素１４０−１が、第２の２つのＰＲＳ測位機会のためのＰＲＳ測位情報を送信するが、物理送信アンテナ要素１４０−２が、第１の２つのＰＲＳ測位機会のためのＰＲＳ測位情報を送信することを示し得る。図３Ｂを参照すると、物理送信アンテナ要素１４０−１と、１４０−２と、１４０−３と、１４０−４とを有するＤＡＳ３５０では、２つのＰＲＳ測位機会ごとの切替えを示す行列は、形態
【００８８】
【数１８】
2018518667.tif 000020
【００８９】
をとることができる。上記の行列は、物理送信アンテナ要素１４０−２が第１の２つのＰＲＳ測位機会のために送信し、その後に、次の２つのＰＲＳ測位機会のために送信する物理送信アンテナ要素１４０−１が続き、今度はその後に、２つの後続のＰＲＳ測位機会のための物理送信アンテナ要素１４０−３が続き、次いでその後に、次の２つのＰＲＳ測位機会のための物理送信アンテナ要素１４０−４が続くことを示す。アンテナ切替えパターンを指定する行列の使用は例示的なものであり、説明するためのものにすぎず、当業者に明らかになるように、様々な他の表現が想定されることに留意されたい。
【００９０】
[0073]３ＧＰＰ規格および技術仕様書は、ＵＥ１２０へのダウンリンクのための論理アンテナポートも定義する。「アンテナポート」または「論理アンテナポート」は、一般に、同一のチャネル状態の下での信号送信の総称語として使用される。アンテナポートは、物理送信アンテナ要素１４０にまたは物理アンテナポート（ＰＡＰ）に動的にマッピングされる論理エンティティである。論理アンテナポートは、論理アンテナポートが転送する情報によって特徴づけられる論理チャネルと見なされ得るが、物理送信アンテナ要素は、どのように情報が転送されるかによって特徴づけられるトランスポートチャネルと見なされ得る。したがって、物理送信アンテナ要素への論理アンテナポートの動的なマッピングは、論理アンテナポートを物理送信アンテナ要素に割り当てることによって、論理チャネルをトランスポートチャネルにマッピングする。
【００９１】
[0074]物理アンテナポート（ＰＡＰ）は、セルの一部分も識別し得る。たとえば、物理送信アンテナ１４０−１は、セルの一部分にサービスし得る。ターゲットデバイスが物理送信アンテナ１４０−１に接続されていることが知られている場合、ターゲットデバイスのロケーションは、物理送信アンテナ１４０−１のカバレージエリアに関連付けられたセル部分に少なくとも部分的に基づいて決定され得る。
【００９２】
[0075]独立チャネルが仮定されるダウンリンク方向におけるＬＴＥ動作モード／送信モードごとに（たとえば、単入力単出力（ＳＩＳＯ）対多入力多出力（ＭＩＭＯ））、別個の論理アンテナポートが定義される。同一の論理アンテナポートを介して送信されるＬＴＥシンボルは、同じチャネル状態を受ける。ＢＳの物理送信アンテナ要素への論理アンテナポートのマッピングは、ＢＳ実装形態に依存し得る。
【００９３】
[0076]たとえば、物理送信アンテナ要素１４０がアンテナ１４０−１と、１４０−２と、１４０−３と、１４０−４とを有するＤＡＳを表す、いくつかの実施形態では、ＰＲＳ送信に使用される論理アンテナポート６は、物理アンテナポート（ＰＡＰ）にマッピングされ得、ＰＲＳシーケンスは、物理アンテナポート識別子（ＰＡＰ  ＩＤ）の関数として生成され得る。以下の式（３）および式（４）では、ＰＡＰ  ＩＤの関数はｆ（ＰＡＰh）によって示される。同様に、セルが複数のＲＲＨまたはスモールセルによってサービスされる状況では、ＲＲＨまたはスモールセル上の論理アンテナポート６は、ＰＡＰにマッピングされ得、ＰＲＳシーケンスは、ＰＡＰ  ＩＤの関数として生成され得る。たとえば、一実装形態では、ＰＣＩ
【００９４】
【数１９】
2018518667.tif 000021
【００９５】
を有する特定のｅノードＢ（ＢＳ）のための異なる物理送信アンテナ要素におけるＰＲＳを区別するために、ＰＲＳシーケンスのための初期化シードは、ＰＡＰの関数であり得る。したがって、いくつかの実施形態では、上記の初期化式（２）におけるｃinitは、ＰＡＰについて
【００９６】
【数２０】
2018518667.tif 000022
【００９７】
として変更され得、ここで、０≦ｈ≦ηPAPの場合、ＰＡＰhは物理アンテナポートｈに対応し、ηPAPは物理アンテナポートの数である。上記の式（３）におけるｃinitはＰＡＰ  ＩＤ  ＰＡＰhの関数であるので、いくつかの実施形態では、異なるＰＲＳシーケンスは、各ＤＡＳ物理送信アンテナ要素またはＲＲＨまたはスモールセルから送信され得る。
【００９８】
[0077]別の実施形態では、上記の初期化式（２）におけるｃinitは、ＰＡＰについて
【００９９】
【数２１】
2018518667.tif 000023
【０１００】
として変更され得、式（３）および式（４）におけるｆ（ＰＡＰh）は、マクロセルに対して存在しないかまたはゼロであり得る。したがって、上記の式（３）および式（４）によれば、ＰＲＳシーケンスは、ＰＣＩ
【０１０１】
【数２２】
2018518667.tif 000024
【０１０２】
と、ＲＲＨまたは送信ポイントＩＤ  ｆ（ＰＡＰh）の両方に依存する。
【０１０３】
[0078]ｆ（ＰＡＰh）は、ゼロにおいて開始する整数であり得、または、別の例として、５０３のオフセットから開始し得る。ＬＴＥでは、ＰＣＩは０〜５０３の値をとることができ、したがって、いくつかの実施形態では、５０３よりも大きい値を有するｆ（ＰＡＰh）によって与えられる新しい「有効ＰＣＩ」は、ＲＲＨ／ＤＡＳ要素に、または一般にＰＲＳ物理送信アンテナ要素に使用され得る。
【０１０４】
[0079]いくつかの実施形態では、ｆ（ＰＡＰh）は、３ＧＰＰ技術仕様書３６．４５５「ＬＴＥ測位プロトコルＡ（ＬＰＰａ）」、リリース１２において定義されている「セル部分ＩＤ」に基づいてもよく、「セル部分ＩＤ」から取得されてもよく、または「セル部分ＩＤ」に等しくてもよい。セル部分は、セルの地理的部分であり、対応する「セル部分ＩＤ」によって一意に識別され得る。
【０１０５】
[0080]いくつかの実施形態では、ＲＲＨまたはＤＡＳ要素のためのなど、ＰＲＳ送信アンテナ要素のためのＰＲＳパターンの周波数シフトｖｓｈｉｆｔは、以下の式（５）で概説されるように、ＰＣＩとｆ（ＰＡＰｈ）の合計に基づいて変更され得る。
【０１０６】
【数２３】
2018518667.tif 000025
【０１０７】
ｖｓｈｉｆｔが式（５）のように変更されるとき、送信ポイントに関連付けられた各物理送信アンテナ要素が、その送信ポイントに関連付けられた他の物理送信アンテナ要素に対して異なる対角ＰＲＳパターンを送信するので、送信ポイントはコード領域と周波数領域の両方において別個であり得る。物理送信アンテナ要素によって送信される対角パターンは、送信ポイントに関連付けられたＰＣＩと、物理送信アンテナ要素のＰＡＰ  ＩＤの関数ｆ（ＰＡＰh）の両方に基づく。
【０１０８】
[0081]いくつかの実施形態では、サーバ１５０は、サーバ１５０によるＯＴＤＯＡ支援情報の一部としてＰＡＰ  ＩＤを送信し得る。さらに、ＰＡＰ  ＩＤは、サーバ１５０と通信しているＵＥ１２０においてレプリカＰＲＳシーケンスを生成する能力を示す受信情報に部分的に基づいて、ＯＴＤＯＡ支援情報の一部として送信され得る。いくつかの実施形態では、ＯＴＤＯＡ支援情報は、ＰＡＰ  ＩＤ、ｆ（ＰＡＰh）、またはＰＡＰ  ＩＤもしくは同様のフィールドから取得された情報を適切なＯＴＤＯＡ支援情報に追加することによって提供され得る。
【０１０９】
[0082]いくつかの実施形態では、ＵＥ１２０は、どのＰＡＰからＯＴＤＯＡ測定が行われたかをサーバ１５０に示す測定報告メッセージにおいて、ＯＴＤＯＡ測定情報の一部としてＰＡＰ  ＩＤをサーバ１５０に送信し得る。
【０１１０】
[0083]いくつかの実施形態では、アンテナ切替えは、アンテナをＰＡＰにマッピングし、ＰＲＳ機会が物理送信アンテナ要素の間で交互にミュートされる場合、物理送信アンテナ要素ごとにミューティングパターンを適用することに相当すると見なされ得るので、式（３）または式（４）は、アンテナダイバーシティ方式とともに使用され得る。いくつかの実施形態では、論理アンテナポート６は、切り替えられる物理送信アンテナ要素の数に基づいて、複数のＰＡＰにマッピングされ得る。たとえば、２つの物理送信アンテナ要素の場合、論理アンテナポート６は、２つのＰＡＰ、ＰＡＰ0とＰＡＰ1とに割り当てられ得る。上記の式（３）または式（４）によれば、ＰＡＰ0およびＰＡＰ1は異なるＰＲＳシーケンスを送信する。さらに、上記の例では、いくつかの実施形態では、アンテナ切替えは、一方のＰＡＰが他方のＰＡＰのＰＲＳ送信の間にミュートされることを示すために、ＯＴＤＯＡ支援データにおいて定義されたミューティングパターンを使用して示され得る。
【０１１１】
[0084]いくつかの実施形態では、論理アンテナポート６は、切り替えられる物理送信アンテナ要素の数に基づいて、複数のＰＡＰにマッピングされ得る。たとえば、２つの物理送信アンテナ要素の場合、論理アンテナポート６は、２つのＰＡＰ、ＰＡＰ0とＰＡＰ1とに割り当てられ得る。ＰＲＳパターンの周波数シフトは、式（５）において上記で説明されたようにＰＡＰ  ＩＤに依存し得、ここで、
【０１１２】
【数２４】
2018518667.tif 000026
【０１１３】
であり、２つの物理送信アンテナ要素の場合、ｆ（ＰＡＰh）＝ＰＡＰ0またはＰＡＰ1である。したがって、ＰＡＰ0とＰＡＰ1とによって識別される物理送信アンテナ要素は各々、個別のＰＲＳ周波数パターンを送信する。
【０１１４】
[0085]（たとえば、複数のＲＲＨを有するセルについて）各々が異なるロケーションにおける物理送信アンテナ要素に関連付けられた異なるＰＡＰによって、異なるＰＲＳシーケンスが（上記で説明されたように）送信される、いくつかの実施形態では、各ＰＲＳシーケンスの獲得と測定とを支援するために、追加のＯＴＤＯＡ支援データがＵＥ１２０に提供され得る。一例として、ＰＲＳシーケンスごとの予想される概算ＲＳＴＤが提供され得るおよび／または物理送信アンテナ要素１４０の各々のロケーションもしくは相対ロケーション。
【０１１５】
[0086]加えて、いくつかの実施形態では、レガシー移動局が上記のＰＲＳ関連の変更によって影響されないことを保証するために、ＰＡＰについての移動局能力指示がＬＰＰまたはＬＰＰｅにおいて定義されたＯＴＤＯＡ能力に追加され得る。一実施形態では、たとえば、レガシーサポートを保証するために、１つの物理送信アンテナ要素、ＰＡＰ  ＩＤ  ＰＡＰ0を有するそのような物理送信アンテナ要素１４０−１は、そのＰＲＳシーケンスまたは周波数シフトパターンを変更しないことがあり、このことは、式（３）または式（４）において、ｈ＝０の場合、ｆ（ＰＡＰh）＝０を設定することによって達成され得る。同様に、周波数シフトｖｓｈｉｆｔに関する式（５）において、ｈ＝０の場合、ｆ（ＰＡＰh）は０に設定され得る。したがって、前の例では、ＰＲＳシーケンスおよび周波数パターンは、ＰＡＰ0について不変としてもよく、それにより、レガシー移動局のサポートを提供する。
【０１１６】
[0087]ＵＥ１２０からの移動局能力情報が同じセル／ＰＣＩからのマルチＰＲＳシーケンスおよびマルチＰＲＳ周波数シフト（すなわち、単一のＰＣＩのための複数のＰＲＳシーケンスおよび周波数シフト）のサポートを示す、いくつかの実施形態では、サーバ１５０は、ＯＴＤＯＡ支援データにおいてそのようなセルを含み得、物理送信機ロケーションがマルチＰＲＳシーケンスと周波数シフトとにマッピングされ得るので、ＵＥ１２０は、ＤＡＳまたはＲＲＨシステムもしくはスモールセルシステム内の送信機からのＯＴＤＯＡ測定を引き受け得る。
【０１１７】
[0088]ＵＥ１２０からの移動局能力情報が、同じセル／ＰＣＩからのマルチＰＲＳシーケンスのサポートがないことを示す場合、サーバ１５０は、ＯＴＤＯＡ支援データにおいてそのようなセルを含まないことがある。先に概説されたように、ＯＴＤＯＡ測位はＤＡＳまたはＲＲＨを有するセル内のレガシー移動局にとっては実際的ではないので、そのようなセルはすでに、サーバ１５０によって提供されるＯＴＤＯＡ支援情報から省略されている場合がある。したがって、ＯＴＤＯＡ支援データからのマルチＰＲＳの省略は、レガシー移動局に対して最小の影響を及ぼすか、または影響を及ぼさないことがある。
【０１１８】
[0089]いくつかの実施形態では、ＵＥ１２０は、ＯＴＤＯＡ測定を行うために、マルチＰＲＳシーケンスおよび周波数シフト、ならびに／あるいは、ＰＲＳ支援情報、アンテナ切替え支援情報、アンテナ切替えパターン情報、および／またはミューティング情報のうちの１つまたは複数を備えるＯＴＤＯＡ支援データとともに、ＰＣＩを使用し得る。いくつかの実施形態では、ＵＥ１２０は、アンテナダイバーシティ、ＤＡＳ、またはＲＲＨシステムを有するセルにおいて、上記の情報を使用してＯＴＤＯＡ測定を行い得る。
【０１１９】
[0090]いくつかの実施形態では、ＯＴＤＯＡ測定は、ＵＥ１２０のロケーションを決定するために、ＵＥ１２０および／またはサーバ１５０によって使用され得る。ＯＴＤＯＡ測位では、セル、物理送信アンテナ要素１４０、またはＯＴＤＯＡ測定が行われたＲＲＨを明確に識別することによって、ＵＥ１２０またはサーバ１５０は、物理送信アンテナ要素１４０の実際のロケーションを使用することができ、実際のロケーションは次いで、位置計算に利用され得る。
【０１２０】
[0091]図２Ｄは、接続を使用して、サーバ１５０からＵＥ１２０への支援データの転送とＵＥ１２０からサーバ１５０へのロケーション情報（たとえば、ＲＳＴＤ測定値）の転送とをサポートする基本的な手順のメッセージフローと、適用可能な場合、データ転送全体の間に確立されたままになる、ＵＥ１２０とサーバ１５０との間のロケーションセッションとを示す。例のために、メッセージフローは、ＬＰＰ／ＬＰＰｅ測位プロトコルメッセージとして説明されるが、所望される場合、他のタイプのメッセージ（たとえば、ＬＰＰメッセージ）が使用され得ることを理解されたい。
【０１２１】
[0092]ブロック２１において、ＵＥ１２０の、マルチＰＲＳシーケンスと周波数シフトとを含むＬＰＰ／ＬＰＰｅ能力およびアンテナ切替え支援データ能力がサーバ１５０に知られていない場合、いくつかの実施形態では、サーバ１５０は、ＬＰＰ／ＬＰＰｅ能力要求（Request Capabilities）メッセージをＵＥ１２０に送ることができる。ＵＥ１２０のＬＰＰ／ＬＰＰｅ能力を要求する能力要求メッセージは、他のパラメータの中でも、ＰＡＰについての能力指示ならびに／または同じセル／ＰＣＩからのマルチＰＲＳシーケンスおよび周波数シフトのサポートを含むＯＴＤＯＡ能力の要求を含み得る。
【０１２２】
[0093]ＵＥ１２０は、メッセージフローのブロック２２において、サーバ１５０に送られるＬＰＰ／ＬＰＰｅ能力提供（Provide Capabilities）メッセージで応答することができる。説明された実施形態のいくつかの態様では、ブロック２１において能力要求メッセージが送られない場合、能力提供メッセージは、ブロック２２において、送信請求なしでＵＥ１２０によって与えられ得る。別の実施形態では、ブロック２２における能力提供メッセージは、その代わりに、後でブロック２４において送られる支援データの要求に関連して、ＵＥ１２０によって送られ得る。能力提供メッセージは、他のパラメータの中でも、ＰＡＰについての能力指示ならびに／または同じセル／ＰＣＩからのマルチＰＲＳシーケンスおよび周波数シフトのサポートを含むＵＥ  ＯＴＤＯＡ能力の指示を含む。
【０１２３】
[0094]ブロック２１および２２において実行されるアクションと同様であるが、反対方向におけるメッセージ転送を伴うアクションが、ＰＡＰについての能力指示ならびに／または同じセル／ＰＣＩからのマルチＰＲＳシーケンスおよび周波数シフトのサポートを含むＯＴＤＯＡ能力のサポートに関するサーバ１５０のＬＰＰ／ＬＰＰｅ能力をＵＥ１２０に転送するために、ブロック２１および２２の代わりに、またはブロック２１および２２に加えて実行され得る。上記のアクションは、図２には示されておらず、使用される場合、反転ＬＰＰｅモードを利用することができ、それにより、ＵＥ１２０は、サーバ１５０に能力を要求し、サーバ１５０から能力を受信することが可能にされる。
【０１２４】
[0095]メッセージフローのブロック２３において、サーバ１５０は、ＬＰＰ／ＬＰＰｅロケーション情報要求（Request Location Information）メッセージにおいて、ＵＥ１２０からのロケーション情報を要求する。ロケーション情報の要求は、ＵＥ１２０によって実行されるべきＲＳＴＤ測定の要求を含み得る。
【０１２５】
[0096]いくつかの実施形態では、ＵＥ１２０は、ブロック２３において受信された要求を満たすためにＯＴＤＯＡ支援データを要求することができ、ブロック２４において、支援データのＬＰＰ／ＬＰＰｅ要求をサーバ１５０に送ることができる。いくつかの実施形態では、ＵＥ１２０は、ＰＲＳ支援情報、アンテナ切替え支援情報、アンテナ切替えパターン情報、および／もしくはミューティング情報のうちの１つまたは複数を含むＯＴＤＯＡ支援データならびに／またはＰＡＰ支援情報など、要求される特定の支援データを指定することができる。いくつかの実施形態では、ブロック２４は行われないことがあり、サーバ１５０は、送信請求なしで支援データをＵＥ１２０に送ると決定することができる。いくつかの実施形態では、ＰＡＰ支援情報は、ｆ（ＰＡＰh）に基づいてもよく、ｆ（ＰＡＰh）から取得されてもよく、またはｆ（ＰＡＰh）に等しくてもよい。
【０１２６】
[0097]メッセージフローのブロック２５において、サーバ１５０は、ＵＥ１２０に転送されるべき支援データを取得することができる。ブロック２４が実行された場合、支援データは、サーバ１５０が利用可能であり得る、ＵＥ１２０によって要求された支援情報のすべてを備え得る。ブロック２５において転送された支援データは、ＬＰＰ／ＬＰＰｅにおいて定義されたＯＴＤＯＡ支援データを含み得、アンテナ切替えおよびＰＡＰ支援情報も含み得る。
【０１２７】
[0098]次いで、ＵＥ１２０は、ブロック２５において受信されたＯＴＤＯＡ支援データに基づいて、基準セルと複数のネイバーセルとの間のＲＳＴＤを測定し得る。いくつかの実施形態では、ＵＥ１２０は、上記で説明されたように、ＲＳＴＤを決定するために、支援データ内に含まれるアンテナ切替え情報を利用し得る。たとえば、アンテナ切替えが特定のセル上で使用される場合、ＵＥ１２０は、セルごとのＴＯＡ値のセットを決定し、ＲＳＴＤ計算のためにこのセットから最終ＴＯＡを選択し得る。
【０１２８】
[0099]ブロック２５において受信された支援データが、マルチＰＲＳシーケンスと周波数シフトとを示す場合、ＵＥ１２０は、それに応じて、式（３）または式（４）のシードを使用することによってＴＯＡ推定のためのレプリカＰＲＳシーケンスを決定し得る。いくつかの実施形態では、式（３）または式（４）におけるｆ（ＰＡＰh）は、ＰＣＩなどの他のＯＴＤＯＡ支援データとともに、ブロック２５において受信された支援データに含まれ得る。
【０１２９】
[00100]ＵＥ１２０が、たとえば、ＲＳＴＤ測定値など、ブロック２３においてサーバ１５０によって要求されたすべての測定値を決定すると、ＵＥ１２０は、ブロック２６において、ＬＰＰ／ＬＰＰｅロケーション情報提供メッセージ内の測定値をサーバ１５０に送ることができる。ブロック２６におけるＬＰＰ／ＬＰＰｅロケーション情報提供メッセージは、測定されたセルの識別情報とともに、ＲＳＴＤが提供されるＰＣＩおよびｆ（ＰＡＰh）など、ＲＳＴＤ測定値を含み得る。いくつかの実施形態では、サーバ１５０は、ＵＥ１２０のロケーションを計算するために、ＵＥが測定を実行したアンテナロケーションの情報ならびにＢＳタイミング情報と一緒に、受信された測定値を使用し得る。次いで、サーバ１５０は、たとえば、ＵＥ１２０の計算されたロケーションをＬＣＳクライアント１６０に提供し得る（図２Ｄに図示せず）。
【０１３０】
[00101]いくつかの実施形態では、ＵＥ１２０は、ＵＥ１２０のロケーションを計算し、場合によっては推定されたロケーションをサーバ１５０に報告するために、ＵＥ１２０が測定を実行したアンテナロケーションの情報ならびにＢＳタイミング情報とともに、測定値を使用し得る。いくつかの実施形態では、サーバ１５０は、ＵＥロケーション情報をＬＣＳクライアント１６０に提供し得る。
【０１３１】
[00102]図３Ａは、高電力で放射する従来の単一の物理送信アンテナ要素２４０を有する、旧来のシングル物理送信アンテナ要素システム３００を示す。従来の単一の物理送信アンテナ要素２４０は、単一のセル／ＰＣＩにカバレージを提供し得る。ＰＲＳとＯＴＤＯＡ測定とを使用する従来の技法は、旧来のシングル物理送信アンテナ要素システム３００におけるロケーション決定のために、ＵＥ１２０によって利用され得る。
【０１３２】
[00103]図３Ｂは、複数の物理送信アンテナ要素１４０−１、１４０−２、１４０−３、および１４０−４を有するＤＡＳ３５０を示す。ＤＡＳ３５０では、空間的に分離され、共通のソースに接続され得る複数の物理送信アンテナ要素１４０−１、１４０−２、１４０−３、および１４０−４は、従来の単一の物理送信アンテナ要素２４０に取って代わり、同じセルにカバレージを提供し得る。分散アンテナシステム３５０では、送信された電力は、物理送信アンテナ要素１４０の間で分割され、物理送信アンテナ要素１４０は、従来の単一の物理送信アンテナ要素２４０と同じエリアにわたってカバレージを提供するように空間的に分離され得るが、総電力が低減され、信頼性が改善される。したがって、ＤＡＳ３５０は、同じエリアをカバーするために旧来のシングル物理送信アンテナ要素システム３００を低電力物理送信アンテナ要素１４０−１、１４０−２、１４０−３、および１４０−４のグループに置き換えることによって実現され得る。
【０１３３】
[00104]たとえば図３Ｂに示されるように、物理送信アンテナ要素１４０がアンテナ１４０−１と、１４０−２と、１４０−３と、１４０−４とを有するＤＡＳを表す、いくつかの実施形態では、ＰＲＳ送信に使用される論理アンテナポート６は、物理アンテナポート（ＰＡＰ）にマッピングされ得、ＰＲＳシーケンスは、物理アンテナポート識別子（ＰＡＰ  ＩＤ）の関数ｆ（ＰＡＰh）として生成され得る。上記の式（３）および式（４）では、ＰＡＰ  ＩＤの関数はによって示される。
【０１３４】
[00105]図４は、単一のセルにサービスする複数のＲＲＨ送信機４２０−１、４２０−２．．．４２０−６を有するＲＲＨシステム４００を示す。ＲＲＨシステム４００では、個々のＲＲＨ送信機４２０−１〜４２０−６はｅノードＢ（ＢＳ）４１０から離れていてもよく、光コネクタ４３０を使用してｅノードＢ４１０に結合されてもよい。前に説明されたように、ＲＲＨがマクロセルカバレージエリア内でカバレージを提供するＬＴＥアドバンスト多地点協調（ＣｏＭＰ）送信では、そのような状況も生じ得る。単一のセルまたはマクロセルが複数のＲＲＨまたはスモールセルによってサービスされる状況では、ＲＲＨまたはスモールセル上の論理アンテナポート６は、ＰＡＰにマッピングされ得、ＰＲＳシーケンスは、ＰＡＰ  ＩＤの関数ｆ（ＰＡＰh）として生成され得る。
【０１３５】
[00106]いくつかの実施形態では、ＤＡＳ３５０（図３Ｂ）またはＲＲＨシステム４００（図４）におけるＵＥ１２０のロバストな位置決定を可能にするために、ＰＲＳ送信に使用される論理アンテナポート６は、物理アンテナポート（ＰＡＰ）にマッピングされ得、ＰＲＳシーケンスは、ＰＡＰ  ＩＤの関数として生成され得る。同様に、セルが複数のＲＲＨによってサービスされる状況では、ＲＲＨ上の論理アンテナポート６は、ＰＡＰにマッピングされ得、ＰＲＳシーケンスは、ＰＡＰ  ＩＤの関数として生成され得る。
【０１３６】
[00107]したがって、前に説明されたように、初期化シードｃinitは、式（３）に示されるように
【０１３７】
【数２５】
2018518667.tif 000027
【０１３８】
として、または式（４）に示されるように
【０１３９】
【数２６】
2018518667.tif 000028
【０１４０】
として変更され得る。ｃinitは、いくつかの実施形態では、ＰＡＰ  ＩＤ  ＰＡＰhの関数であるので、共通のＰＣＩを共有するにもかかわらず、異なるＰＲＳシーケンスが物理送信アンテナ要素１４０−１、１４０−２、１４０−３、および１４０−４の各々または各ＲＲＨから送信され得る。
【０１４１】
[00108]したがって、前に説明されたように、周波数シフトは上記の式（５）に示されるように変更され得、その結果として、共通のＰＣＩを共有するにもかかわらず、異なる周波数シフトパターンが、物理送信アンテナ要素１４０−１、１４０−２、１４０−３、および１４０−４の各々または各ＲＲＨから送信される。
【０１４２】
[00109]図５Ａは、アンテナ切替えシステムにおけるＰＲＳ送信に使用される論理アンテナポート６  ５２０−６の、ＰＡＰ  ＩＤ  ０を有する物理アンテナポートＰＡＰ0  ５３０−０およびＰＡＰ  ＩＤ  １を有する物理アンテナポートＰＡＰ1  ５３０−１へのマッピング５００を示す。図５Ａは、論理アンテナポート５２０−１〜５２０−８を備える論理アンテナポート５２０と、物理アンテナポート５３０とを示す。図５Ａでは、論理アンテナポート６は、ｅノードＢ５１０と同じＰＣＩを共有する。図５Ａは、２つの物理送信アンテナ要素１４０−１および１４０−２があり、その結果、論理アンテナポート６が、それぞれＰＡＰ０  ５３０−０およびＰＡＰ１  ５３０−１として示される２つの物理アンテナポート０および１にマッピングされ得ると仮定する。図５Ａでは、ｆ（ＰＡＰ0）は単に、ＰＡＰ  ＩＤ  ０を有するＰＡＰ0の場合はｆ（ＰＡＰ0）＝０、ＰＡＰ  ＩＤ  １を有するＰＡＰ1の場合はｆ（ＰＡＰ1）＝１として定義されている。したがって、図５Ａでは、各物理アンテナポート５３０−０および５３０−１は、共通のＰＣＩを共有するにもかかわらず、異なるＰＲＳシーケンスと周波数シフトとを送信することになる。上記で説明されたように、ｆ（ＰＡＰh）は例示的なものであり、説明するためのものにすぎないことに留意されたい。一般に、ｆ（ＰＡＰh）は、線形関数、２次関数、多項式、またはＰＡＰ  ＩＤを入力値として使用し、定義された出力値ｆ（ＰＡＰh）を与える任意の他の数学的関数など、ＰＡＰ  ＩＤ  ｈの様々な数学的関数に設定され得る。
【０１４３】
[00110]いくつかの実施形態では、ｆ（ＰＡＰh）は、ｅノードＢ５１０などのｅノードＢのＰＡＰの数、たとえば、アンテナポート５３０−０から５３０−５の０、１、２、３、４、５を計数する整数であり得る。別の実施形態では、ｆ（ＰＡＰh）は、たとえば、３ＧＰＰ技術仕様書３６．４５５「ＬＴＥ測位プロトコルＡ（ＬＰＰａ）」、リリース１２において定義されているセル部分ＩＤに基づいてもよく、セル部分ＩＤから取得されてもよく、またはセル部分ＩＤに等しくてもよい。
【０１４４】
[00111]いくつかの実施形態では、ＰＡＰ  ＩＤは、適切なＬＰＰ／ＬＰＰｅプロトコルを使用して、ＯＴＤＯＡ支援データの一部としてサーバ１５０によってＵＥ１２０に提供され得る。いくつかの実施形態では、ＯＴＤＯＡ支援データは、ＵＥ１２０が個々のアンテナポートごとのレプリカＰＲＳ信号を決定することを可能にするために、ＰＡＰ  ＩＤまたは関数ｆ（ＰＡＰh）を含み得る。
【０１４５】
[00112]いくつかの実施形態では、論理アンテナポート６を物理アンテナポート（ＰＡＰ）にマッピングし、ＰＡＰ  ＩＤの関数としてＰＲＳシーケンスと周波数シフトとを生成することによって、異なる物理ロケーションにおけるＴＸアンテナ（またはＲＲＨ）は、共通のＰＣＩを共有するにもかかわらず、個別のＰＲＳ信号を送信することが可能であり得る。
【０１４６】
[00113]図５Ｂは、ＤＡＳまたはＲＲＨシステムにおけるＰＲＳ送信に使用される論理アンテナポート６  ５２０−６の、ＰＡＰ  ＩＤ  ０を有する物理アンテナポートＰＡＰ０  ５３０−０〜ＰＡＰ  ＩＤ  ５を有する物理アンテナポートＰＡＰ５  ５３０−５へのマッピング５５０を示す。図５Ｂは、論理アンテナポート５２０−１〜５２０−８を備える論理アンテナポート５２０と、物理アンテナポート５３０−０〜５３０−５とを示す。図５Ｂでは、論理アンテナポート６は、ｅノードＢ５１０と同じＰＣＩを共有する。図５Ｂは、異なる物理ロケーションにおいて６つの物理送信アンテナ要素１４０−１、１４０−２．．．１４０−６があると仮定する。図５Ｂに示されるように、論理アンテナポート６は、それぞれＰＡＰ０  ５３０−０〜ＰＡＰ５  ５３０−５として示される６つの物理アンテナポート０〜５にマッピングされ得る。
【０１４７】
[00114]図６Ａは、開示される実施形態に合致した形でＵＥ１２０の位置を決定する例示的な方法６００のためのフローチャートを示す。いくつかの実施形態では、方法６００の部分は、ＵＥ１２０によって、ならびに／または、ＵＥ１２０、サーバ１５０、および／もしくは別のネットワークエンティティの何らかの組合せによって実行され得る。方法は、ブロック６１０において、たとえば、ＵＥ１２０がロケーション決定を開始するときに、および／またはＬＣＳクライアント１６０もしくは別のネットワークエンティティがＵＥ１２０のロケーション情報を要求するときに、開始することができる。いくつかの実施形態では、方法６００の部分は、ＬＰＰプロトコルまたはＬＬＰｅプロトコルを使用して実行され得る。
【０１４８】
[00115]次に、ブロック６２０において、能力情報の要求がＵＥ１２０によって受信され得る。たとえば、ＵＥ１２０は、限定はしないが、ＰＡＰについての能力指示ならびに／または同じセル／ＰＣＩからのマルチＰＲＳシーケンスおよび周波数シフトのサポートを含むＯＴＤＯＡ能力など、ＵＥ１２０の能力を要求し得る能力要求メッセージを受信し得る。
【０１４９】
[00116]ブロック６２５において、ＵＥ１２０は、記憶された能力情報に部分的に基づいて、ＵＥ１２０がＰＡＰに関係するＯＴＤＯＡ支援情報、同じセル／ＰＣＩからのマルチＰＲＳシーケンスおよび周波数シフト、ならびに／またはアンテナ切替え支援データをサポート／受信することが可能であるかどうかを決定し得る。たとえば、アンテナ切替え支援情報は、１つまたは複数のセルに対応するブールパラメータを備え得る、１つまたは複数のセルについてのＰＲＳ支援情報を含み得る。各ブールパラメータは、対応するセルのＰＲＳ測位機会の間でアンテナ切替えが行われるかどうかを示し得る。いくつかの実施形態では、アンテナ切替え支援情報は、アンテナ切替え間隔に関係する情報も含み得る。アンテナ切替え間隔は、物理送信アンテナ要素が切り替えられる前に少なくとも１つのセルの中の物理送信アンテナ要素上で送信される連続するＰＲＳ測位機会の数に関して指定され得る。
【０１５０】
[00117]ＰＡＰに関係するＯＴＤＯＡ支援情報、同じセル／ＰＣＩからのマルチＰＲＳシーケンスおよび周波数シフト、ならびに／またはアンテナ切替え支援データをサポートすることが可能である（ブロック６３０における「Ｙ」）とＵＥ１２０が決定した場合、ブロック６３０において、ＵＥ１２０は、ＵＥ１２０によって要求された支援情報のすべてを受信し得、支援情報は、ＬＰＰおよび／またはＬＰＰｅにおいて定義されたＯＴＤＯＡ支援データを含み得、同じセル／ＰＣＩからのマルチＰＲＳシーケンスおよび周波数シフトに関係する支援情報、アンテナ切替え支援データ、ならびに／またはＰＡＰ支援情報も含み得る。
【０１５１】
[00118]ブロック６３５において、ＵＥ１２０は、ＯＴＤＯＡ支援データに基づいて、基準セルと複数のネイバーセルとの間のＲＳＴＤを測定し得る。いくつかの実施形態では、ＵＥ１２０は、上記で説明されたように、ＲＳＴＤを決定するために、支援データ内に含まれるアンテナ切替え情報を利用し得る。一実施形態では、アンテナ切替えが特定のセル上で使用される場合、ＵＥ１２０は、セルごとのＴＯＡ値のセットを決定し、ＲＳＴＤ計算のためにこのセットから１つのＴＯＡを選択し得る。たとえば、アンテナ切替えが少なくとも１つのセルによって使用される場合、ＵＥ１２０は、単一のＰＲＳ測位機会の間にＵＥにおけるＰＲＳ関連測定値に基づいて決定されたＴＯＡ値のセットから、ＰＲＳの到着時間値を選択し得る。いくつかの実施形態では、選択されたＴＯＡ値は、セットの中の他のＴＯＡ値よりも短い、ＰＲＳのソースとＵＥ１２０との間の距離を示し得る。
【０１５２】
[00119]ＰＡＰに関係するＯＴＤＯＡ支援情報、同じセル／ＰＣＩからのマルチＰＲＳシーケンスおよび周波数シフト、ならびに／またはアンテナ切替え支援データなどをサポートすることが可能ではない（ブロック６３０における「Ｎ」）とＵＥ１２０が決定した場合、次いで、ブロック６５０において、いくつかの実施形態では、ＵＥ１２０はレガシー支援情報を受信し得る。たとえば、いくつかの実施形態では、ＵＥ１２０は、ｆ（ＰＡＰ）＝０を設定することによって達成され得る、ｆ（ＰＡＰh）によって変更されていないＰＲＳシーケンスを維持する物理送信アンテナ要素に関係する情報を受信し得る。たとえば、ＵＥ１２０は、ｆ（ＰＡＰ）＝０の場合の物理アンテナポートＰＡＰ0に関係する情報を与えられ得る。次に、ブロック６５５において、ＵＥ１２０は、ブロック６５０において受信されたレガシー支援情報に基づいて、ＲＳＴＤを測定し得る。
【０１５３】
[00120]いくつかの実施形態では、次いで、ＵＥ１２０の位置は、ブロック６４０において、測定されたＲＳＴＤ情報を使用して決定され得る。いくつかの実施形態では、ＵＥ１２０は、それ自体のロケーションを算出し得る。別の実施形態では、ＵＥ１２０の位置は、測定されたＲＳＴＤ情報に基づいて、サーバ１５０によって算出され得る。方法は、ブロック６６０において終了し得る。方法６００は例示的なものであり、当業者に明らかになるように、ブロックを組み合わせるかまたは省略することによって、様々な変更が行われ得る。たとえば、レガシーサポートが提供されないなどのいくつかの実施形態では、ブロック６５０および６５５が省略されてもよく、方法は、方法が終了するブロック６６０に進むことができる。別の例として、方法は、ロケーション支援に使用されるプロトコル、ＵＥ１２０の能力、および／またはｓｅｒｖｅｒ１５０の能力に応じて変更されてもよい。
【０１５４】
[00121]図６Ｂは、開示される実施形態に合致した形でＵＥ１２０の位置を決定する別の例示的な方法６７５のためのフローチャートを示す。いくつかの実施形態では、方法６７５の部分は、ＵＥ１２０によって実行され得る。方法は、ブロック６８０において、たとえば、ＵＥ１２０がロケーション決定を開始するときに、および／またはＬＣＳクライアント１６０もしくは別のネットワークエンティティがＵＥ１２０のロケーション情報を要求するときに、開始することができる。いくつかの実施形態では、方法６７５の部分は、ＬＰＰプロトコルまたはＬＬＰｅプロトコルを使用して実行され得る。
【０１５５】
[00122]次に、ブロック６３０において、ＵＥ１２０は、ＵＥ１２０によって要求された支援情報のすべてを受信し得、支援情報は、ＬＰＰおよび／またはＬＰＰｅにおいて定義されたＯＴＤＯＡ支援データを含み得、同じセル／ＰＣＩからのマルチＰＲＳシーケンスおよび周波数シフトに関係する支援情報、アンテナ切替え支援データ、ならびに／またはＰＡＰ支援情報も含み得る。たとえば、ＵＥ１２０は、セルについてのアンテナ切替え支援情報を含む測位基準信号（ＰＲＳ）支援情報を備え得るＯＴＤＯＡ支援情報を受信し得る。
【０１５６】
[00123]ブロック６８５において、ＵＥ１２０は、受信されたアンテナ切替え支援情報に少なくとも部分的に基づいて、物理送信アンテナ要素切替えがセルによって使用されるかどうかを決定し得る。
【０１５７】
[00124]次に、ブロック６９０において、物理送信アンテナ要素切替えがセルによって使用される場合、次いで、ＵＥ１２０は、単一のＰＲＳ測位機会の間にＵＥにおける測定値に基づいて決定された到着時間（ＴＯＡ）値のセットからＰＲＳのためのＴＯＡ値を選択し得、ここで、ＰＲＳは、ＵＥによって受信され、選択されたＴＯＡ値は、ＴＯＡ値のセットの中の他のＴＯＡ値よりも短い、ＰＲＳのソースとＵＥとの間の距離を示す。いくつかの実施形態では、選択されたＴＯＡ値は、ＵＥ１２０の推定されたロケーションを決定するために使用され得る。方法は、ブロック６６０において終了し得る。
【０１５８】
[00125]図７Ａは、開示される実施形態に合致した形でＵＥ１２０の位置を決定する例示的な方法７００のためのフローチャートを示す。いくつかの実施形態では、方法７００の部分は、サーバ１５０によって実行され得る。方法は、ブロック７１０において、たとえば、サーバ１５０もしくはＵＥ１２０がロケーション決定を開始するときに、および／またはＬＣＳクライアント１６０もしくは別のネットワークエンティティがＵＥ１２０のロケーション情報を要求するときに、開始することができる。いくつかの実施形態では、方法７００の部分は、ＬＰＰプロトコルまたはＬＬＰｅプロトコルを使用して実行され得る。
【０１５９】
[00126]次に、ブロック７１５において、サーバ１５０は、ＵＥ１２０から能力情報を受信し得る。いくつかの実施形態では、能力情報は、サーバ１５０によって送られた前の能力要求メッセージに応答して、能力提供メッセージにおいて受信され得る。いくつかの実施形態では、サーバ１５０によって受信される能力情報は、限定はしないが、ＰＡＰのサポートの指示、アンテナ切替え支援情報、ならびに／または同じセル／ＰＣＩからのマルチＰＲＳシーケンスおよび周波数シフトのサポートを含む、移動局のＯＴＤＯＡ能力に関係する情報を含み得る。
【０１６０】
[00127]ブロック７２０において、サーバ１５０は、受信された能力情報に部分的に基づいて、ＵＥ１２０がＰＡＰに関係するＯＴＤＯＡ支援情報、同じセル／ＰＣＩからのマルチＰＲＳシーケンスおよび周波数シフト、ならびに／またはアンテナ切替え支援データをサポート／受信することが可能であるかどうかを決定し得る。
【０１６１】
[00128]ＵＥ１２０が、ＰＡＰに関係するＯＴＤＯＡ支援情報、同じセル／ＰＣＩからのマルチＰＲＳシーケンスおよび周波数シフト、ならびに／またはアンテナ切替え支援データをサポートすることが可能である（ブロック７２０における「Ｙ」）とサーバ１５０が決定した場合、次いで、ブロック７２５において、サーバ１５０は、ＵＥ１２０によって要求された支援情報のすべてを送り得、支援情報は、ＬＰＰおよび／またはＬＰＰｅにおいて定義されたＯＴＤＯＡ支援データを含み得、同じセル／ＰＣＩからのマルチＰＲＳシーケンスおよび周波数シフトに関係する支援情報、アンテナ切替え支援データ、ならびに／またはＰＡＰ支援情報も含み得る。いくつかの実施形態では、サーバ１５０は、ＯＴＤＯＡ支援情報の一部としてＰＡＰ  ＩＤを送信し得る。さらに、ＰＡＰ  ＩＤは、サーバ１５０（たとえば、ロケーションサーバ）と通信しているＵＥ１２０においてレプリカＰＲＳシーケンスを生成する能力を示す受信情報に部分的に基づいて、ＯＴＤＯＡ支援情報の一部として送信され得る。いくつかの実施形態では、ロケーション支援情報は、支援データ提供（Provide Assistance Data）メッセージにおいてＵＥ１２０に送信され得る。
【０１６２】
[00129]ＵＥ１２０がＰＡＰに関係するＯＴＤＯＡ支援情報、同じセル／ＰＣＩからのマルチＰＲＳシーケンスおよび周波数シフト、ならびに／またはアンテナ切替え支援データをサポートしない（ブロック７２０における「Ｎ」）とサーバ１５０が決定した場合、次いで、ブロック７４０において、いくつかの実施形態では、サーバ１５０はレガシー支援情報をＵＥ１２０に送り得る。たとえば、いくつかの実施形態では、サーバ１５０は、ｆ（ＰＡＰ）＝０を設定することによって達成され得る、ｆ（ＰＡＰh）によって変更されていないＰＲＳシーケンスを維持する物理送信アンテナ要素に関係する情報を送り得る。たとえば、サーバ１５０は、ｆ（ＰＡＰ）＝０の場合の物理アンテナポートＰＡＰ0に関係する情報を送り得る。
【０１６３】
[00130]次に、ブロック７３０において、サーバ１５０は、提供された支援情報に基づいて、ＵＥ１２０によって測定されたＲＳＴＤを受信し得る。ブロック７３５において、ＵＥ１２０のロケーションは、測定されたＲＳＴＤに基づいて決定され得る。たとえば、アンテナ切替えが特定のセル上で使用される場合、サーバ１５０は、提供されたＯＴＤＯＡ支援情報に基づいて、測定されたＴＯＡのセットから１つのＴＯＡ値を受信し得る。
【０１６４】
[00131]いくつかの実施形態では、次いで、ＵＥ１２０の位置は、ブロック７３５において、測定されたＲＳＴＤ情報を使用して決定され得る。いくつかの実施形態では、ＵＥ１２０は、それ自体のロケーションを算出し、そのロケーションをサーバ１５０に中継し得る。別の実施形態では、ＵＥ１２０の位置は、測定されたＲＳＴＤ情報に基づいて、サーバ１５０によって算出され得る。次いで、方法は、ブロック７５０において終了し得る。
【０１６５】
[00132]方法７００は例示的なものであり、当業者に明らかになるように、ブロックを組み合わせるかまたは省略することによって、様々な変更が行われ得る。たとえば、レガシーサポートが提供されないなどのいくつかの実施形態では、ブロック７４０が省略されてもよく、方法は、方法が終了するブロック７５０に進むことができる。別の例として、方法は、ロケーション支援に使用されるプロトコル、ＵＥ１２０の能力、および／またはロケーション支援サーバの能力に応じて変更されてもよい。
【０１６６】
[00133]図７Ｂは、開示される実施形態に合致した形でロケーション推定の間に使用され得る例示的な方法７５５のためのフローチャートを示す。いくつかの実施形態では、方法７５５の部分は、サーバ１５０によって実行され得る。方法は、ブロック７５７において、たとえば、サーバ１５０もしくはＵＥ１２０がロケーション決定を開始するときに、および／またはＬＣＳクライアント１６０もしくは別のネットワークエンティティがＵＥ１２０のロケーション情報を要求するときに、開始することができる。いくつかの実施形態では、方法７５５の部分は、ＬＰＰプロトコルまたはＬＬＰｅプロトコルを使用して実行され得る。
【０１６７】
[00134]次に、ブロック７２５において、サーバ１５０は、ＵＥ１２０によって要求された支援情報のすべてを送り得、支援情報は、ＬＰＰおよび／またはＬＰＰｅにおいて定義されたＯＴＤＯＡ支援データを含み得、同じセル／ＰＣＩからのマルチＰＲＳシーケンスおよび周波数シフトに関係する支援情報、アンテナ切替え支援データ、ならびに／またはＰＡＰ支援情報も含み得る。たとえば、サーバ１５０は、ＯＴＤＯＡ支援情報をＵＥ１２０に送り得、ここで、ＯＴＤＯＡ支援情報は、サーバ１５０によってサービスされるセルのサブセットの中の少なくとも１つのセルについてのアンテナ切替え支援情報を含む測位基準信号（ＰＲＳ）支援情報を備え得る。本明細書で使用される「サブセット」という用語は、セットの１つまたは複数の要素を指す。いくつかの事例では、サブセットは、セットの複数の要素を備え得る。いくつかの事例では、サブセットは、セットの要素のすべてを含み得る。次いで、方法は、ブロック７５９において終了し得る。
【０１６８】
[00135]図７Ｃは、複数の物理送信アンテナ要素を備えるシステムにおいて個別のＰＲＳシーケンスと周波数シフトとを生成する例示的な方法７６０を示す。いくつかの実施形態では、方法７６０の部分は、特定の無線ネットワーク構成を決定するために、システム１００内のエンティティによって実行され得る。方法は、ブロック７６２において、たとえば、無線ネットワークがセットアップ、計画、構成、または再構成されているときに、開始することができる。
【０１６９】
[00136]次に、ブロック７６５において、システム１００および／またはシステム１００内のエンティティは、個別のＰＡＰ  ＩＤを複数の物理送信アンテナ要素のサブセットに割り当て得る。
【０１７０】
[00137]ブロック７７０において、無線ネットワークは、複数の物理送信アンテナ要素のサブセットのためのＰＲＳシーケンスを生成し得、ここで、各ＰＲＳシーケンスは、複数の物理送信アンテナ要素のサブセットの中の物理送信アンテナ要素に対応し、関数ｆ（ＰＡＰh）は、対応する物理送信アンテナ要素のためのＰＲＳシーケンスを生成するために使用される長さ３１のＧｏｌｄシーケンスのシードに加えられ、関数ｆ（ＰＡＰh）は、対応する物理送信アンテナ要素のＰＡＰ  ＩＤ（ｈ）に基づく。
【０１７１】
[00138]ブロック７７５において、無線ネットワークは、（たとえば、ブロック７６５において）サブセットの中の物理送信アンテナ要素に対応する各生成されたＰＲＳシーケンスに、対応する物理送信アンテナ要素の、（ｉ）ＰＡＰ  ＩＤ（ｈ）、または（ｉｉ）関数ｆ（ＰＡＰｈ）、または（ｉｉｉ）それらの何らかの組合せ、に少なくとも部分的に基づいて、対応する周波数シフトを適用し得る。
【０１７２】
[00139]いくつかの実施形態では、ブロック７７０および７７５が組み合わされてもよく、その結果、無線ネットワークは、複数の物理送信アンテナ要素のサブセットのためのＰＲＳシーケンスと周波数シフトとを生成し得、ここで、各ＰＲＳシーケンスおよび周波数シフトは、複数の物理送信アンテナ要素のサブセットの中の物理送信アンテナ要素に対応し、関数ｆ（ＰＡＰh）は、対応する物理送信アンテナ要素のためのＰＲＳシーケンスを生成するために使用される長さ３１のＧｏｌｄシーケンスのシードに加えられ、関数ｆ（ＰＡＰh）は、ＰＲＳパターン周波数シフトを生成するための公式に加えられる場合があり、ここで、関数ｆ（ＰＡＰh）は、対応する物理送信アンテナ要素のＰＡＰ  ＩＤ（ｈ）に基づく。方法は、ブロック７８０において終了し得る。
【０１７３】
[00140]図７Ｄは、単一のセルにサービスし得る複数の物理送信アンテナ要素を備えるシステムにおいて周波数シフトとともに個別のＰＲＳシーケンスを生成する例示的な方法７８５を示す。いくつかの実施形態では、方法７８５の部分は、特定の無線ネットワーク構成を決定するために、システム１００内のエンティティによって実行され得る。方法は、ブロック７１０において、たとえば、無線ネットワークがセットアップ、計画、構成、または再構成されているときに、開始することができる。
【０１７４】
[00141]次に、ブロック７８９において、システム１００および／またはシステム１００内のエンティティは、個別のＰＡＰ  ＩＤを複数の物理送信アンテナ要素の中の各物理送信アンテナ要素に割り当て得る。
【０１７５】
[00142]ブロック７９１において、無線ネットワークは、複数のＰＲＳシーケンスを生成し得、ここで、複数のＰＲＳシーケンスの中の各ＰＲＳシーケンスは、複数の物理送信アンテナ要素の中の個別の物理送信アンテナ要素に対応する、ここにおいて、各ＰＲＳシーケンスは、対応する物理送信アンテナ要素の対応するＰＡＰ  ＩＤ（ｈ）に少なくとも部分的に基づいて、対応する周波数シフトを有する。
【０１７６】
[00143]いくつかの実施形態では、周波数シフトは、対応する物理送信アンテナ要素のＰＡＰ  ＩＤ（ｈ）から取得される関数ｆ（ＰＡＰh）に基づき得る。いくつかの実施形態では、ｆ（ＰＡＰh）は、複数の物理送信アンテナ要素のサブセットの中の複数の物理送信アンテナ要素のうちの少なくとも１つについて０に設定されてもよい。さらに、いくつかの実施形態では、ｆ（ＰＡＰh）は、セル部分ＩＤに基づいてもよく、ここにおいて、セル部分ＩＤは、セルの地理的部分に関連付けられた識別子を備える。
【０１７７】
[00144]いくつかの実施形態では、複数の物理送信アンテナ要素は、分散アンテナシステム（ＤＡＳ）を備え得る。いくつかの実施形態では、複数の物理送信アンテナ要素は、リモートラジオヘッド（ＲＲＨ）を使用して実現され得る。いくつかの実施形態では、複数の物理送信アンテナ要素は、限定はしないが、フェムトセルなどのスモールセルを備える。
【０１７８】
[00145]いくつかの実施形態では、ＰＡＰ  ＩＤおよび／またはｆ（ＰＡＰh）は、観測到着時間差（ＯＴＤＯＡ）支援情報の一部として送信され得る。いくつかの事例では、ＯＴＤＯＡ支援データとしてのＰＡＰ  ＩＤおよび／またはｆ（ＰＡＰh）の送信は、移動局においてＯＴＤＯＡ支援データを受信する能力を示す受信情報に少なくとも部分的に基づき得る。方法は、ブロック７８０において終了し得る。
【０１７９】
[00146]図８は、開示される実施形態に合致した形で、アンテナダイバーシティ、ＤＡＳ、および／またはＲＲＨもしくはスモールセルを有するシステムにおいてＰＲＳ支援情報を使用するＯＴＤＯＡ測定をサポートすることが可能にされるＵＥ１２０のいくつかの例示的な特徴を示す概略ブロック図を示す。ＵＥ１２０は、たとえば、非一時的コンピュータ可読媒体３２０およびメモリ３０４への１つまたは複数の接続３０６（たとえば、バス、回線、ファイバ、リンクなど）と動作的に結合され得る、１つまたは複数の処理ユニット３０２と、メモリ３０４と、トランシーバ３１０（たとえば、ワイヤレスネットワークインターフェース）と、（適用可能な場合）ＳＰＳ受信機３４０とを含み得る。いくつかの例示的な実装形態では、ＵＥ１２０の全部または一部は、チップセットなどの形態をとることができる。ＳＰＳ受信機３４０は、１つまたは複数のＳＰＳリソースに関連付けられた信号を受信することが可能にされ得る。トランシーバ３１０は、たとえば、１つまたは複数のタイプのワイヤレス通信ネットワークを介して１つまたは複数の信号を送信することが可能にされる送信機３１２と、１つまたは複数のタイプのワイヤレス通信ネットワークを介して送信された１つまたは複数の信号を受信するための受信機３１４とを含み得る。
【０１８０】
[00147]処理ユニット３０２は、ハードウェアとファームウェアとソフトウェアとの組合せを使用して実装され得る。いくつかの実施形態では、処理ユニット３０２は、ＰＲＳ支援情報を含む受信されたＯＴＤＯＡ支援情報を処理し得るＵＥ  ＰＲＳ支援データモジュール３１６を含み得る。たとえば、ＵＥ  ＰＲＳ支援データモジュール３１６は、アンテナ切替えパターン情報とアンテナミューティング情報とを含むアンテナ切替え支援情報を備えるＰＲＳ支援情報を処理し得る。いくつかの実施形態では、ＵＥ  ＰＲＳ支援データモジュール３１６はまた、ＯＴＤＯＡ支援情報の一部として受信されたＰＡＰ  ＩＤおよび／または関数ｆ（ＰＡＰh）を処理し得る。処理ユニット３０２はまた、直接的にまたは図８に示された１つもしくは複数の他の機能ブロックに関連してのいずれかで、支援情報を含む様々な他の受信されたＬＰＰ／ＬＰＰｅメッセージを処理することが可能であり得る。いくつかの実施形態では、処理ユニット３０２は、ＵＥ１２０の動作に関連するデータ信号コンピューティング手順またはプロセスの少なくとも一部分を実行するように構成可能な１つまたは複数の回路を表し得る。
【０１８１】
[00148]いくつかの実施形態では、ＵＥ１２０は、内部または外部でもよい１つまたは複数のＵＥアンテナ（図示せず）を含み得る。ＵＥアンテナは、トランシーバ３１０および／またはＳＰＳ受信機３４０によって処理される信号を送信および／または受信するために使用され得る。いくつかの実施形態では、ＵＥアンテナは、トランシーバ３１０とＳＰＳ受信機３４０とに結合され得る。いくつかの実施形態では、ＵＥ１２０によって受信された（送信された）信号の測定は、ＵＥアンテナとトランシーバ３１０との接続の点において実行され得る。たとえば、受信された（送信された）ＲＦ信号測定の基準の測定点は、受信機３１４（送信機３１２）の入力（出力）端末、およびＵＥアンテナの出力（入力）端末であってもよい。複数のＵＥアンテナまたはアンテナアレイを有するＵＥ１２０では、アンテナコネクタは、複数のＵＥアンテナの集約出力（入力）を表す仮想点と見なされ得る。いくつかの実施形態では、ＵＥ１２０は、信号強度とＴＯＡ測定値とを含む受信信号を測定することができ、生の測定値は、処理ユニット３０２によって処理され得る。
【０１８２】
[00149]本明細書で説明される方法は、適用例に応じて様々な手段によって実装され得る。たとえば、これらの方法は、ハードウェア、ファームウェア、ソフトウェア、またはそれらの任意の組合せにおいて実装され得る。ハードウェア実装形態の場合、処理ユニット３０２は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明される機能を実行するように設計された他の電子ユニット、またはそれらの組合せ内で実装され得る。
【０１８３】
[00150]ファームウェアおよび／またはソフトウェア実装形態の場合、方法は、本明細書で説明される機能を実行するモジュール（たとえば、プロシージャ、関数など）を用いて実装され得る。命令を有形に実施する任意の機械可読媒体は、本明細書で説明される方法を実装する際に使用され得る。たとえば、ソフトウェアコードは、処理ユニット３０２に接続され、処理ユニット３０２によって実行される非一時的コンピュータ可読媒体３２０またはメモリ３０４に記憶され得る。メモリは、プロセッサユニット内またはプロセッサユニットの外部に実装され得る。本明細書で使用される「メモリ」という用語は、任意のタイプの長期、短期、揮発性、不揮発性、または他のメモリを指し、メモリの任意の特定のタイプもしくはメモリの数、またはメモリが記憶される媒体のタイプに限定されるべきではない。
【０１８４】
[00151]ファームウェアおよび／またはソフトウェアにおいて実装される場合、機能は、媒体３２０および／またはメモリ３０４などの非一時的コンピュータ可読媒体上で１つまたは複数の命令またはプログラムコード３０８として記憶され得る。例としては、データ構造で符号化されたコンピュータ可読媒体、およびコンピュータプログラムで符号化されたコンピュータ可読媒体がある。たとえば、その上に記憶されたプログラムコード３０８を含む非一時的コンピュータ可読媒体は、開示される実施形態に合致した形で、アンテナダイバーシティ、ＤＡＳ、および／またはＲＲＨを有するシステムにおいてＰＲＳ支援情報を使用するＯＴＤＯＡ測定をサポートするプログラムコード３０８を含み得る。非一時的コンピュータ可読媒体は、物理コンピュータ記憶媒体を含む。記憶媒体は、コンピュータによってアクセスされ得る任意の利用可能な媒体であってもよい。限定ではなく例として、そのような非一時的コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態で所望のプログラムコード３０８を記憶するために使用され得、コンピュータによってアクセスされ得る任意の他の媒体を備えることができ、本明細書で使用されるディスク（disk）およびディスク（disc）は、コンパクトディスク（disc）（ＣＤ）と、レーザーディスク（登録商標）（disc）と、光ディスク（disc）と、デジタル多用途ディスク（disc）（ＤＶＤ）と、フロッピー（登録商標）ディスク（disk）と、ブルーレイ（登録商標）ディスク（disc）とを含み、ディスク（disk）は通常、データを磁気的に再生し、ディスク（disc）は、レーザーを用いてデータを光学的に再生する。上記の組合せもコンピュータ可読媒体の範囲内に含まれるべきである。
【０１８５】
[00152]コンピュータ可読媒体３２０上での記憶に加えて、命令および／またはデータは、通信装置内に含まれる伝送媒体上の信号として提供され得る。たとえば、通信装置は、命令とデータとを示す信号を有するトランシーバ３１０を含み得る。命令およびデータは、１つまたは複数のプロセッサに、特許請求の範囲において概説される機能を実装させるように構成される。すなわち、通信装置は、開示される機能を実行するための情報を示す信号を有する伝送媒体を含む。
【０１８６】
[00153]メモリ３０４は、任意のデータ記憶機構を表し得る。メモリ３０４は、たとえば、１次メモリおよび／または２次メモリを含み得る。１次メモリは、たとえば、ランダムアクセスメモリ、読取り専用メモリなどを含み得る。この例では処理ユニット３０２とは別個であるものとして示されているが、１次メモリの全部または一部は、処理ユニット３０２内に設けられるか、または場合によっては処理ユニット３０２とコロケートされる／結合される場合があることを理解されたい。２次メモリは、たとえば、１次メモリと同じもしくは同様のタイプのメモリ、および／または、たとえば、ディスクドライブ、光ディスクドライブ、テープドライブ、ソリッドステートメモリドライブなど、１つもしくは複数のデータストレージデバイスもしくはシステムを含み得る。
【０１８７】
[00154]いくつかの実装形態では、２次メモリは、非一時的コンピュータ可読媒体３２０を動作的に受容可能であるか、または場合によってはそれに結合するように構成可能であり得る。したがって、いくつかの例示的な実装形態では、本明細書で提示される方法および／または装置は、全体的にまたは部分的にコンピュータ可読媒体３２０の形態をとることができ、コンピュータ可読媒体３２０は、その上に記憶されたコンピュータ実装可能命令３０８を含み得、コンピュータ実装可能命令３０８は、少なくとも１つの処理ユニット３０２によって実行された場合、本明細書で説明される例示的な動作の全部または部分を実行することが動作的に可能にされ得る。コンピュータ可読媒体３２０は、メモリ３０４の一部であってもよい。
【０１８８】
[00155]次に、開示される実施形態に合致した形で、アンテナダイバーシティ、ＤＡＳ、および／またはＲＲＨもしくはスモールセルを有するシステムにおいてＰＲＳ支援情報を使用するＯＴＤＯＡ測定をサポートすることが可能にされるサーバ１５０を示す概略ブロック図である、図９を参照する。いくつかの実施形態では、サーバ１５０は、たとえば、１つまたは複数の接続３５６（たとえば、バス、回線、ファイバ、リンクなど）と動作的に結合され得る、１つまたは複数の処理ユニット３５２と、メモリ３５４と、ストレージ３６０と、（適用可能な場合）通信インターフェース３９０（たとえば、ワイヤラインまたはワイヤレスネットワークインターフェース）とを含み得る。いくつかの例示的な実装形態では、サーバ１５０のある部分は、チップセットなどの形態をとることができる。
【０１８９】
[00156]通信インターフェース３９０は、ワイヤード送信および／または受信をサポートし、所望される場合、追加または代替として、１つまたは複数のタイプのワイヤレス通信ネットワークを介した１つまたは複数の信号の送信と受信とをサポートすることができる、様々なワイヤード接続とワイヤレス接続とを含み得る。通信インターフェース３９０は、様々な他のコンピュータおよび周辺機器との通信のためのインターフェースも含み得る。たとえば、一実施形態では、通信インターフェース３９０は、ネットワークインターフェースカード、入出力カード、チップおよび／またはサーバ１５０によって実行される通信機能のうちの１つもしくは複数を実装するＡＳＩＣを備え得る。いくつかの実施形態では、通信インターフェース３９０は、ネットワーク内の基地局によって使用される、ＰＣＩ、構成されたＰＲＳ情報、および／またはタイミング情報などの様々なネットワーク構成関連情報を取得するために、ネットワーク１３０とインターフェースすることもできる。たとえば、通信インターフェース３９０は、ネットワーク１３０内の基地局からＰＣＩ、構成されたＰＲＳ、タイミングおよび／または他の情報を取得するために、３ＧＰＰ  ＴＳ  ３６．４５５において定義された「ＬＴＥ測位プロトコルＡ（ＬＰＰａ）」またはこのプロトコルの変形を利用することができる。処理ユニット３５２は、開示される実施形態に合致した形でＯＴＤＯＡ支援データ情報を生成するために、受信情報の一部または全部を使用し得る。
【０１９０】
[00157]処理ユニット３５２は、ハードウェアとファームウェアとソフトウェアとの組合せを使用して実装され得る。いくつかの実施形態では、処理ユニット３５２は、ＵＥ１２０に送信するためのＰＲＳ支援情報を含むＯＴＤＯＡ情報を生成し得るサーバＰＲＳ支援データモジュール３６６を含み得る。たとえば、サーバＰＲＳ支援データモジュール３６６は、アンテナ切替え支援情報とアンテナ切替えパターン情報とを備えるＰＲＳ支援情報を生成および／またはフォーマットし得る。いくつかの実施形態では、サーバＰＲＳ支援データモジュール３６６はまた、ＵＥ１２０に送信するためのＯＴＤＯＡ支援情報の一部としてＰＡＰ  ＩＤまたは関数ｆ（ＰＡＰh）を生成し得る。処理ユニット３５２はまた、直接的にまたは図９に示された１つもしくは複数の他の機能ブロックに関連してのいずれかで、様々な他のＬＰＰ／ＬＰＰｅ支援情報を処理することが可能であり得る。いくつかの実施形態では、処理ユニット３５２は、ロングタームエボリューション（ＬＴＥ）測位プロトコル（ＬＰＰ）メッセージまたはＬＰＰ拡張（ＬＰＰｅ）メッセージとしてＯＴＤＯＡ支援情報を生成し得る。いくつかの実施形態では、処理ユニット３５２は、サーバ１５０の動作に関連するデータ信号コンピューティング手順またはプロセスの少なくとも一部分を実行するように構成可能な１つまたは複数の回路を表し得る。
【０１９１】
[00158]フローチャートおよびメッセージフローにおける本明細書で説明される方法は、適用例に応じて様々な手段によって実装され得る。たとえば、これらの方法は、ハードウェア、ファームウェア、ソフトウェア、またはそれらの任意の組合せにおいて実装され得る。ハードウェア実装形態の場合、処理ユニット３５２は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明される機能を実行するように設計された他の電子ユニット、またはそれらの組合せ内で実装され得る。
【０１９２】
[00159]ファームウェアおよび／またはソフトウェア実装形態の場合、方法は、本明細書で説明される機能を実行するモジュール（たとえば、プロシージャ、関数など）を用いて実装され得る。命令を有形に実施する任意の機械可読媒体は、本明細書で説明される方法を実装する際に使用され得る。たとえば、ソフトウェアは、取外し可能媒体を含む非一時的コンピュータ可読媒体３５８の使用をサポートし得る、取外し可能メディアドライブ３７０に記憶され得る。プログラムコードは、非一時的コンピュータ可読媒体３５８またはメモリ３５４上に常駐してもよく、処理ユニット３５２によって読み取られ、実行され得る。メモリは、処理ユニット３５２内または処理ユニット３５２の外部に実装され得る。本明細書で使用される「メモリ」という用語は、任意のタイプの長期、短期、揮発性、不揮発性、または他のメモリを指し、メモリの任意の特定のタイプもしくはメモリの数、またはメモリが記憶される媒体のタイプに限定されるべきではない。
【０１９３】
[00160]ファームウェアおよび／またはソフトウェアにおいて実装される場合、機能は、非一時的コンピュータ可読媒体３５８および／またはメモリ３５４上で１つまたは複数の命令またはコードとして記憶され得る。例としては、データ構造で符号化されたコンピュータ可読媒体、およびコンピュータプログラムで符号化されたコンピュータ可読媒体がある。たとえば、その上に記憶されたプログラムコードを含む非一時的コンピュータ可読媒体３５８は、開示される実施形態に合致した形で、アンテナダイバーシティ、ＤＡＳ、および／またはＲＲＨもしくはスモールセルを有するシステムにおいてＰＲＳ支援情報を使用するＯＴＤＯＡ測定をサポートするプログラムコードを含み得る。
【０１９４】
[00161]非一時的コンピュータ可読媒体は、様々な物理コンピュータ記憶媒体を含む。記憶媒体は、コンピュータによってアクセスされ得る任意の利用可能な媒体であってもよい。限定ではなく例として、そのような非一時的コンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態で所望のプログラムコードを記憶するために使用され得、コンピュータによってアクセスされ得る任意の他の媒体を備えることができ、本明細書で使用されるディスク（disk）およびディスク（disc）は、コンパクトディスク（disc）（ＣＤ）と、レーザーディスク（disc）と、光ディスク（disc）と、デジタル多用途ディスク（disc）（ＤＶＤ）と、フロッピーディスク（disk）と、ブルーレイディスク（disc）とを含み、ディスク（disk）は通常、データを磁気的に再生し、ディスク（disc）は、レーザーを用いてデータを光学的に再生する。非一時的コンピュータ可読媒体の他の実施形態は、フラッシュドライブ、ＵＳＢドライブ、ソリッドステートドライブ、メモリカードなどを含む。上記の組合せもコンピュータ可読媒体の範囲内に含まれるべきである。
【０１９５】
[00162]コンピュータ可読媒体上での記憶に加えて、命令および／またはデータは、伝送媒体上の信号として通信インターフェース３９０に提供され得、通信インターフェース３９０は、命令／データをメモリ３５４、ストレージ３６０に記憶することができ、および／または命令／データを実行のために処理ユニット３５２に中継した。たとえば、通信インターフェース３９０は、命令とデータとを示すワイヤレス信号またはネットワーク信号を受信し得る。命令およびデータは、１つまたは複数のプロセッサに、特許請求の範囲において概説される機能を実装させるように構成される。すなわち、通信装置は、開示される機能を実行するための情報を示す信号を有する伝送媒体を含む。
【０１９６】
[00163]メモリ３５４は、任意のデータ記憶機構を表し得る。メモリ３５４は、たとえば、１次メモリおよび／または２次メモリを含み得る。１次メモリは、たとえば、ランダムアクセスメモリ、読取り専用メモリ、不揮発性ＲＡＭなどを含み得る。この例では処理ユニット３５２とは別個であるものとして示されているが、１次メモリの全部または一部は、処理ユニット３５２内に設けられるか、または場合によっては処理ユニット３５２とコロケートされる／結合される場合があることを理解されたい。２次メモリは、たとえば、１次メモリと同じもしくは同様のタイプのメモリおよび／または、たとえば、ハードディスクドライブ、光ディスクドライブ、テープドライブ、ソリッドステートメモリドライブなどを含む１つもしくは複数のデータストレージデバイスなどのストレージ３６０を含み得る。いくつかの実施形態では、ストレージ３６０は、システム１００および／またはより広いセルラーネットワーク内の様々なエンティティに関係する情報を保持することができる１つまたは複数のデータベースを備え得る。いくつかの実施形態では、データベース内の情報は、ＭＳ１２０の能力、サーバ１５０の能力を記憶すること、ＯＴＤＯＡ支援データを生成すること、ＵＥ１２０のロケーションを算出することなどを含む様々な算出中に、処理ユニット３５２によって読み取られ、使用され、および／または更新され得る。
【０１９７】
[00164]いくつかの実装形態では、２次メモリは、非一時的コンピュータ可読媒体３５８を動作的に受容可能であるか、または場合によってはそれに結合するように構成可能であり得る。したがって、いくつかの例示的な実装形態では、本明細書で提示される方法および／または装置は、全体的にまたは部分的に取外し可能メディアドライブ３７０の形態をとることができ、取外し可能メディアドライブ３７０は、その上に記憶されたコンピュータ実装可能命令を有する非一時的コンピュータ可読媒体３５８を含み得、コンピュータ実装可能命令は、少なくとも１つの処理ユニット３５２によって実行された場合、本明細書で説明される例示的な動作の全部または部分を実行することが動作的に可能にされ得る。コンピュータ可読媒体３５８は、メモリ３５４の一部であってもよい。
【０１９８】
[00165]本明細書は教授の目的で特定の実施形態に関して示されているが、請求される主題は必ずしもそれらの実施形態に限定されない。本明細書の範囲から逸脱することなく、様々な適応および変更が行われ得る。
【図１Ａ】
2018518667.tif 000029
【図１Ｂ】
2018518667.tif 000030
【図２Ａ】
2018518667.tif 000031
【図２Ｂ】
2018518667.tif 000032
【図２Ｃ】
2018518667.tif 000033
【図２Ｄ】
2018518667.tif 000034
【図３Ａ】
2018518667.tif 000035
【図３Ｂ】
2018518667.tif 000036
【図４】
2018518667.tif 000037
【図５Ａ】
2018518667.tif 000038
【図５Ｂ】
2018518667.tif 000039
【図６Ａ】
2018518667.tif 000040
【図６Ｂ】
2018518667.tif 000041
【図７Ａ】
2018518667.tif 000042
【図７Ｂ】
2018518667.tif 000043
【図７Ｃ】
2018518667.tif 000044
【図７Ｄ】
2018518667.tif 000045
【図８】
2018518667.tif 000046
【図９】
2018518667.tif 000047
【国際調査報告】
2018518667.tif 000048
2018518667.tif 000049
2018518667.tif 000050